(57)【要約】  事前登録は、３ＧＰＰ２進化した高レートパケットデータ（ｅＨＲＰＤ）ネットワークにおいて、データトンネルを通して、３ＧＰＰロングタームエボリューション（ＬＴＥ）ネットワーク中に存在する同じパケットデータネットワーク（ＰＤＮ）／サービス品質（ＱｏＳ）コンテキストを確立および維持することを含む。ＬＴＥエアインターフェースおよびコアネットワーク上のトラフィックの過度の増加を回避するために、最適化は、ＰＤＮ接続のサブセットに対してのみ、ハンドオーバーを実行する間近のときだけ、または他の条件のときに、ＰＤＮコンテキストを選択的に完了する。【選択図】図１
2013537017.tif 000002
【特許請求の範囲】
【請求項１】
パケットデータネットワークにおけるセッションの継続性を維持する方法において、
第１の無線アクセス技術を使用して第１の無線アクセスネットワークとパケットデータを通信することと、
パケットデータコンテキストを選択的に事前登録するためにトリガが存在することを決定することと、
前記第１の無線アクセスネットワークによって確立されたデータトンネルを通して、第２の無線アクセス技術を使用する第２の無線アクセスネットワークに前記パケットデータコンテキストを事前登録することとを含む方法。
【請求項２】
前記第１の無線アクセス技術を使用して第１の無線アクセスネットワークとパケットデータを通信することは、３ＧＰＰロングタームエボリューション（ＬＴＥ）プロトコルを利用することをさらに含む請求項１記載の方法。
【請求項３】
前記第２の無線アクセス技術を使用する第２の無線アクセスネットワークにパケットデータコンテキストを事前登録することは、進化した高レートパケットデータ（ｅＨＲＰＤ）プロトコルを含む請求項１記載の方法。
【請求項４】
前記第１の無線アクセス技術を使用して第１の無線アクセスネットワークとパケットデータを通信することは、３ＧＰＰロングタームエボリューション（ＬＴＥ）プロトコルを利用することをさらに含む請求項３記載の方法。
【請求項５】
前記パケットデータコンテキストは、サービス品質（ＱｏＳ）コンテキストを含む請求項１記載の方法。
【請求項６】
前記パケットデータコンテキストは、ポイントツーポイントプロトコル（ＰＰＰ）コンテキストを含む請求項１記載の方法。
【請求項７】
前記パケットデータコンテキストは、ポイントツーポイントプロトコル（ＰＰＰ）状態でない、データオンリー（ＤＯ）セッションを含む請求項１記載の方法。
【請求項８】
前記パケットデータコンテキストを選択的に事前登録するためにトリガが存在することを決定することは、前記第１の無線アクセスネットワークから前記第２の無線アクセスネットワークへの間近に迫ったハンドオーバーを決定することをさらに含む請求項１記載の方法。
【請求項９】
前記第１の無線アクセスネットワークから第２の無線アクセスネットワークへの間近に迫ったハンドオーバーを決定することは、前記ユーザ機器と前記第１の無線アクセスネットワークとの間のエアチャネルの、劣化させる特性を決定することをさらに含む請求項８記載の方法。
【請求項１０】
前記第１の無線アクセスネットワークから第２の無線アクセスネットワークへの間近に迫ったハンドオーバーを決定することは、前記ユーザ機器と前記第２の無線アクセスネットワークとの間のエアチャネルの、改善させる特性を決定することをさらに含む請求項８記載の方法。
【請求項１１】
前記パケットデータコンテキストを選択的に事前登録するためにトリガが存在することを決定することは、セッションのタイプが短い持続時間の性質であるか否かを決定することをさらに含む請求項１記載の方法。
【請求項１２】
前記第２の無線アクセス技術における高レートパケットデータ（ＨＰＲＤ）を使用して、複数のパーソナリティとの最適化されたデータ（ＤＯ）セッションを生成させることと、
無線アクセスネットワーク（ＲＡＮ）レベル認証を実行することと、
リンク制御プロトコル（ＬＣＰ）ネゴシエーションと、拡張可能認証プロトコル（ＥＡＰ）認証と、キー合意（ＡＫＡ）認証とを実行することとによって、
前記トリガより前に部分的に事前登録することと、
ロングタームエボリューション（ＬＴＥ）を含む前記第１の無線アクセス技術を使用して、前記第１の無線アクセスネットワーク中に現在存在しているパケットデータネットワーク（ＰＤＮ）接続ごとに、ＨＰＲＤサービングゲートウェイ（ＨＳＧＷ）において、ＰＤＮコンテキストを確立することと、
ＬＴＥ中に現在存在しているサービス品質（ＱｏＳ）フローごとに、進化したアクセスノード（ｅＡＮ）と前記ＨＳＧＷとにおいて、ＱｏＳコンテキストを確立することとによって、
前記トリガの後に事前登録することを完了することとをさらに含む請求項１記載の方法。
【請求項１３】
前記パケットデータコンテキストを選択的に事前登録するためにトリガが存在することを決定することは、アプリケーションが事前登録を要求するか否かを決定することをさらに含む請求項１記載の方法。
【請求項１４】
前記パケットデータコンテキストを選択的に事前登録するためにトリガが存在することを決定することは、事前登録するためのネットワーク要求を受け取ることをさらに含む請求項１記載の方法。
【請求項１５】
前記事前登録するためのネットワーク要求を受け取ることは、事前登録コールフローの及ぶ範囲を規定するパラメータを含む前記ネットワークによってシグナリングされるオーバーヘッドメッセージを受け取ることをさらに含む請求項１４記載の方法。
【請求項１６】
前記第１の無線アクセス技術を使用して、前記第１の無線アクセスネットワークと複数のパケットデータ接続を通信することと、
前記複数のパケットデータ接続のうちの選択された１つに対して、それぞれのパケットデータコンテキストを選択的に事前登録するためにトリガが存在していることを決定することと、
前記第１の無線アクセスネットワークによって確立された前記データトンネルを通して、前記第２の無線アクセス技術を使用する前記第２の無線アクセスネットワークに前記選択されたパケットデータコンテキストを事前登録することをさらに含む請求項１記載の方法。
【請求項１７】
パケットデータネットワークにおけるセッションの継続性を維持する少なくとも１つのプロセッサにおいて、
第１の無線アクセス技術を使用して第１の無線アクセスネットワークとパケットデータを通信する第１のモジュールと、
パケットデータコンテキストを選択的に事前登録するためにトリガが存在することを決定する第２のモジュールと、
前記第１の無線アクセスネットワークによって確立されたデータトンネルを通して、第２の無線アクセス技術を使用する第２の無線アクセスネットワークに前記パケットデータコンテキストを事前登録する第３のモジュールとを具備する少なくとも１つのプロセッサ。
【請求項１８】
パケットデータネットワークにおけるセッションの継続性を維持するコンピュータプログラムプロダクトにおいて、
第１の無線アクセス技術を使用して第１の無線アクセスネットワークとパケットデータをコンピュータに通信させるためのコードの第１のセットと、
パケットデータコンテキストを選択的に事前登録するためにトリガが存在することを前記コンピュータに決定させるためのコードの第２のセットと、
前記第１の無線アクセスネットワークによって確立されたデータトンネルを通して、第２の無線アクセス技術を使用する第２の無線アクセスネットワークに前記パケットデータコンテキストを前記コンピュータに事前登録させるためのコードの第３のセットとを含む一時的でないコンピュータ読み取り可能記憶媒体を具備するコンピュータプログラムプロダクト。
【請求項１９】
パケットデータネットワークにおけるセッションの継続性を維持する装置において、
第１の無線アクセス技術を使用して第１の無線アクセスネットワークとパケットデータを通信する手段と、
パケットデータコンテキストを選択的に事前登録するためにトリガが存在することを決定する手段と、
前記第１の無線アクセスネットワークによって確立されたデータトンネルを通して、第２の無線アクセス技術を使用する第２の無線アクセスネットワークに前記パケットデータコンテキストを事前登録する手段とを具備する装置。
【請求項２０】
パケットデータネットワークにおけるセッションの継続性を維持する装置において、
第１の無線アクセス技術を使用して第１の無線アクセスネットワークとパケットデータを通信するトランシーバと、
前記パケットデータコンテキストを選択的に事前登録するためにトリガが存在することを決定するコンピューティングプラットフォームとを具備し、
前記トランシーバは、さらに、前記第１の無線アクセスネットワークによって確立されたデータトンネルを通して、第２の無線アクセス技術を使用する第２の無線アクセスネットワークに前記パケットデータコンテキストを事前登録するためのものである装置。
【請求項２１】
前記トランシーバは、さらに、３ＧＰＰロングタームエボリューション（ＬＴＥ）プロトコルを利用することによって、前記第１の無線アクセス技術を使用して、前記第１の無線アクセスネットワークと前記パケットデータを通信するためのものである請求項２０記載の装置。
【請求項２２】
前記トランシーバは、さらに、進化した高レートパケットデータ（ｅＨＲＰＤ）プロトコルを含む前記第２の無線アクセス技術を使用する前記第２の無線アクセスネットワークに前記パケットデータコンテキストを事前登録するためのものである請求項２０記載の装置。
【請求項２３】
前記トランシーバは、さらに、３ＧＰＰロングタームエボリューション（ＬＴＥ）プロトコルを利用することによって、前記第１の無線アクセス技術を使用して前記第１の無線アクセスネットワークと前記パケットデータを通信するためのものである請求項２２記載の装置。
【請求項２４】
前記パケットデータコンテキストは、サービス品質（ＱｏＳ）コンテキストを含む請求項２０記載の装置。
【請求項２５】
前記パケットデータコンテキストは、ポイントツーポイントプロトコル（ＰＰＰ）コンテキストを含む請求項２０記載の装置。
【請求項２６】
前記パケットデータコンテキストは、ポイントツーポイントプロトコル（ＰＰＰ）状態でない、データオンリー（ＤＯ）セッションを含む請求項２０記載の装置。
【請求項２７】
前記コンピューティングプラットフォームは、さらに、前記第１の無線アクセスネットワークから前記第２の無線アクセスネットワークへの間近に迫ったハンドオーバーを決定することによって、前記パケットデータコンテキストを選択的に事前登録するために前記トリガが存在することを決定するためのものである請求項２０記載の装置。
【請求項２８】
前記コンピューティングプラットフォームは、さらに、前記ユーザ機器と前記第１の無線アクセスネットワークとの間のエアチャネルの、劣化させる特性を決定することによって、前記第１の無線アクセスネットワークから前記第２の無線アクセスネットワークへの前記間近に迫ったハンドオーバーを決定するためのものである請求項２７記載の装置。
【請求項２９】
前記コンピューティングプラットフォームは、さらに、前記ユーザ機器と前記第２の無線アクセスネットワークとの間のエアチャネルの、改善させる特性を決定することによって、前記第１の無線アクセスネットワークから前記第２の無線アクセスネットワークへの前記間近に迫ったハンドオーバーを決定するためのものである請求項２７記載の装置。
【請求項３０】
前記コンピューティングプラットフォームは、さらに、セッションのタイプが短い持続時間の性質であるか否かを決定することによって、前記パケットデータコンテキストを選択的に事前登録するために前記トリガが存在することを決定するためのものである請求項２０記載の装置。
【請求項３１】
前記トランシーバを通しての前記コンピューティングプラットフォームは、さらに、
前記第２の無線アクセス技術における高レートパケットデータ（ＨＰＲＤ）を使用して、複数のパーソナリティとの最適化されたデータ（ＤＯ）セッションを生成させることと、
無線アクセスネットワーク（ＲＡＮ）レベル認証を実行することと、
リンク制御プロトコル（ＬＣＰ）ネゴシエーションと、拡張可能認証プロトコル（ＥＡＰ）認証と、キー合意（ＡＫＡ）認証とを実行することとによって、
前記トリガより前に部分的に事前登録するためのものであり、
ロングタームエボリューション（ＬＴＥ）を含む前記第１の無線アクセス技術を使用する前記第１の無線アクセスネットワーク中に現在存在しているパケットデータネットワーク（ＰＤＮ）接続ごとに、ＨＰＲＤサービングゲートウェイ（ＨＳＧＷ）において、ＰＤＮコンテキストを確立することと、
ＬＴＥ中に現在存在しているサービス品質（ＱｏＳ）フローごとに、進化したアクセスノード（ｅＡＮ）と前記ＨＳＧＷとにおいて、ＱｏＳコンテキストを確立することとによって、
前記トリガの後に事前登録することを完了するためのものである請求項２０記載の装置。
【請求項３２】
前記コンピューティングプラットフォームは、さらに、アプリケーションが事前登録を要求するか否かを決定することによって前記パケットデータコンテキストを選択的に事前登録するために前記トリガが存在することを決定するためのものである請求項２０記載の装置。
【請求項３３】
前記コンピューティングプラットフォームは、さらに、事前登録するためのネットワーク要求を受け取ることによって、前記パケットデータコンテキストを選択的に事前登録するために前記トリガが存在することを決定するためのものである請求項２０記載の装置。
【請求項３４】
前記トランシーバは、さらに、事前登録コールフローの及ぶ範囲を規定するパラメータを含む前記ネットワークによってシグナリングされるオーバーヘッドメッセージを受け取ることによって、事前登録するための前記ネットワーク要求を受け取るためのものである請求項３３記載の装置。
【請求項３５】
前記第１の無線アクセス技術を使用して、前記第１の無線アクセスネットワークとの複数のパケットデータ接続を通信することと、
前記複数のパケットデータ接続のうちの選択された１つに対して、それぞれのパケットデータコンテキストを選択的に事前登録するためにトリガが存在することを決定することと、
前記第１の無線アクセスネットワークによって確立された前記データトンネルを通して、前記第２の無線アクセス技術を使用する前記第２の無線アクセスネットワークに前記選択されたパケットデータコンテキストを事前登録することをさらに具備する請求項２０記載の装置。
【請求項３６】
パケットデータネットワークにおけるセッションの継続性を維持するための方法において、
第１の無線アクセス技術を使用して、第１の無線アクセスネットワークからユーザ機器とパケットデータを通信することと、
パケットデータコンテキストを選択的に事前登録するためにトリガが存在することを決定することと、
データトンネルを促進することによって、前記パケットデータコンテキストを、第２の無線アクセス技術を使用する第２の無線アクセスネットワークに事前登録することとを含む方法。
【請求項３７】
前記第１の無線アクセス技術を使用して、第１の無線アクセスネットワークからユーザ機器とパケットデータを通信することは、３ＧＰＰロングタームエボリューション（ＬＴＥ）プロトコルを利用することをさらに含む請求項３６記載の方法。
【請求項３８】
前記データトンネルを促進することによって、パケットデータコンテキストを、第２の無線アクセス技術を使用する第２の無線アクセスネットワークに事前登録することは、進化した高レートパケットデータ（ｅＨＲＰＤ）プロトコルを含む請求項３６記載の方法。
【請求項３９】
前記第１の無線アクセス技術を使用して、第１の無線アクセスネットワークからユーザ機器とパケットデータを通信することは、３ＧＰＰロングタームエボリューション（ＬＴＥ）プロトコルを利用することをさらに含む請求項３８記載の方法。
【請求項４０】
前記パケットデータコンテキストは、サービス品質（ＱｏＳ）コンテキストを含む請求項３６記載の方法。
【請求項４１】
前記パケットデータコンテキストは、ポイントツーポイントプロトコル（ＰＰＰ）コンテキストを含む請求項３６記載の方法。
【請求項４２】
前記パケットデータコンテキストは、ポイントツーポイントプロトコル（ＰＰＰ）状態でない、データオンリー（ＤＯ）セッションを含む請求項３６記載の方法。
【請求項４３】
前記パケットデータコンテキストを選択的に事前登録するためにトリガが存在すること決定することは、前記第１の無線アクセスネットワークから前記第２の無線アクセスネットワークへの間近に迫ったハンドオーバーを決定することをさらに含む請求項３６記載の方法。
【請求項４４】
前記第１の無線アクセスネットワークから第２の無線アクセスネットワークへの間近に迫ったハンドオーバーを決定することは、前記ユーザ機器と前記第１の無線アクセスネットワークとの間のエアチャネルの、劣化させる特性を決定することをさらに含む請求項４３記載の方法。
【請求項４５】
前記第１の無線アクセスネットワークから第２の無線アクセスネットワークへの間近に迫ったハンドオーバーを決定することは、前記ユーザ機器と前記第２の無線アクセスネットワークとの間のエアチャネルの、改善させる特性を決定することをさらに含む請求項４３記載の方法。
【請求項４６】
前記パケットデータコンテキストを選択的に事前登録するためにトリガが存在することを決定することは、セッションのタイプが短い持続時間の性質であるか否かを決定することをさらに含む請求項３６記載の方法。
【請求項４７】
前記第２の無線アクセス技術における高レートパケットデータ（ＨＰＲＤ）を使用して、複数のパーソナリティとの最適化されたデータ（ＤＯ）セッションを生成させることと、
無線アクセスネットワーク（ＲＡＮ）レベル認証を実行することと、
リンク制御プロトコル（ＬＣＰ）ネゴシエーションと、拡張可能認証プロトコル（ＥＡＰ）認証と、キー合意（ＡＫＡ）認証とを実行することとによって、
前記トリガより前に部分的に事前登録することと、
ロングタームエボリューション（ＬＴＥ）を含む前記第１の無線アクセス技術を使用して、前記第１の無線アクセスネットワーク中に現在存在しているパケットデータネットワーク（ＰＤＮ）接続ごとに、ＨＰＲＤサービングゲートウェイ（ＨＳＧＷ）において、ＰＤＮコンテキストを確立することと、
ＬＴＥ中に現在存在しているサービス品質（ＱｏＳ）フローごとに、進化したアクセスノード（ｅＡＮ）と前記ＨＳＧＷとにおいて、ＱｏＳコンテキストを確立することとによって、
前記トリガの後に事前登録することを完了することとをさらに含む請求項３６記載の方法。
【請求項４８】
前記パケットデータコンテキストを選択的に事前登録するためにトリガが存在することを決定することは、アプリケーションが事前登録を要求するか否かを決定することをさらに含む請求項３６記載の方法。
【請求項４９】
前記パケットデータコンテキストを選択的に事前登録するためにトリガが存在することを決定することは、事前登録するためのネットワーク要求を前記ユーザ機器に送信することをさらに含む請求項３６記載の方法。
【請求項５０】
前記事前登録するためのネットワーク要求をユーザ機器に送信することは、事前登録コールフローの及ぶ範囲を規定するパラメータをシグナリングするためのオーバーヘッドメッセージを送信することをさらに含む請求項４９記載の方法。
【請求項５１】
前記第１の無線アクセス技術を使用して、前記第１の無線アクセスネットワークからユーザ機器との複数のパケットデータ接続を通信することと、
前記複数のパケットデータ接続のうちの選択された１つに対して、それぞれのパケットデータコンテキストを選択的に事前登録するためにトリガが存在していることを決定することと、
データトンネルを促進することによって、前記選択されたパケットデータコンテキストを、前記第２の無線アクセス技術を使用する前記第２の無線アクセスネットワークに事前登録することをさらに含む請求項３６記載の方法。
【請求項５２】
パケットデータネットワークにおけるセッションの継続性を維持する少なくとも１つのプロセッサにおいて、
第１の無線アクセス技術を使用して、第１の無線アクセスネットワークからユーザ機器とパケットデータを通信する第１のモジュールと、
パケットデータコンテキストを選択的に事前登録するためにトリガが存在することを決定する第２のモジュールと、
データトンネルを促進することによって、前記パケットデータコンテキストを、第２の無線アクセス技術を使用する第２の無線アクセスネットワークに事前登録する第３のモジュールとを具備する少なくとも１つのプロセッサ。
【請求項５３】
パケットデータネットワークにおけるセッションの継続性を維持するためのコンピュータプログラムプロダクトにおいて、
第１の無線アクセス技術を使用して、第１の無線アクセスネットワークからユーザ機器とパケットデータをコンピュータに通信させるためのコードの第１のセットと、
パケットデータコンテキストを選択的に事前登録するためにトリガが存在することを前記コンピュータに決定させるためのコードの第２のセットと、
データトンネルを促進することによって、前記パケットデータコンテキストを、第２の無線アクセス技術を使用する第２の無線アクセスネットワークに前記コンピュータに事前登録させるためのコードの第３のセットとを含む一時的でないコンピュータ読み取り可能記憶媒体を具備するコンピュータプログラムプロダクト。
【請求項５４】
パケットデータネットワークにおけるセッションの継続性を維持する装置において、
第１の無線アクセス技術を使用して、第１の無線アクセスネットワークからユーザ機器とパケットデータを通信する手段と、
パケットデータコンテキストを選択的に事前登録するためにトリガが存在することを決定する手段と、
データトンネルを促進することによって、前記パケットデータコンテキストを、第２の無線アクセス技術を使用する第２の無線アクセスネットワークに事前登録する手段とを具備する装置。
【請求項５５】
パケットデータネットワークにおけるセッションの継続性を維持する装置において、
第１の無線アクセス技術を使用して、第１の無線アクセスネットワークからユーザ機器とパケットデータを通信するトランシーバと、
パケットデータコンテキストを選択的に事前登録するためにトリガが存在することを決定するコンピューティングプラットフォームと、
データトンネルを促進することによって、前記パケットデータコンテキストを、第２の無線アクセス技術を使用する第２の無線アクセスネットワークに事前登録するネットワークインターフェースとを具備する装置。
【請求項５６】
前記トランシーバは、さらに、３ＧＰＰロングタームエボリューション（ＬＴＥ）プロトコルを利用することによって、前記第１の無線アクセス技術を使用して、前記第１の無線アクセスネットワークからユーザ機器と前記パケットデータを通信するためのものである請求項５５記載の装置。
【請求項５７】
前記ネットワークインターフェースは、さらに、前記データトンネルを促進することによって、進化した高レートパケットデータ（ｅＨＲＰＤ）プロトコルを含む前記第２の無線アクセス技術を使用する前記第２の無線アクセスネットワークに前記パケットデータコンテキストを事前登録するためのものである請求項５５記載の装置。
【請求項５８】
前記トランシーバは、さらに、３ＧＰＰロングタームエボリューション（ＬＴＥ）プロトコルを利用することによって、前記第１の無線アクセス技術を使用して、前記第１の無線アクセスネットワークから前記ユーザ機器と前記パケットデータを通信するためのものである請求項５７記載の装置。
【請求項５９】
前記パケットデータコンテキストは、サービス品質（ＱｏＳ）コンテキストを含む請求項５５記載の装置。
【請求項６０】
前記パケットデータコンテキストは、ポイントツーポイントプロトコル（ＰＰＰ）コンテキストを含む請求項５５記載の装置。
【請求項６１】
前記パケットデータコンテキストは、ポイントツーポイントプロトコル（ＰＰＰ）状態でない、データオンリー（ＤＯ）セッションを含む請求項５５記載の装置。
【請求項６２】
前記コンピューティングプラットフォームは、さらに、前記第１の無線アクセスネットワークから前記第２の無線アクセスネットワークへの間近に迫ったハンドオーバーを決定することによって、前記パケットデータコンテキストを選択的に事前登録するために前記トリガが存在することを決定するためのものである請求項５５記載の装置。
【請求項６３】
前記コンピューティングプラットフォームは、さらに、前記ユーザ機器と前記第１の無線アクセスネットワークとの間のエアチャネルの、劣化させる特性を決定することによって、前記第１の無線アクセスネットワークから第２の無線アクセスネットワークへの間近に迫ったハンドオーバーを決定するためのものである請求項６２記載の装置。
【請求項６４】
前記コンピューティングプラットフォームは、さらに、前記ユーザ機器と前記第２の無線アクセスネットワークとの間のエアチャネルの、改善させる特性を決定することによって、前記第１の無線アクセスネットワークから第２の無線アクセスネットワークへの間近に迫ったハンドオーバーを決定するためのものである請求項６２記載の装置。
【請求項６５】
前記コンピューティングプラットフォームは、さらに、セッションのタイプが短い持続時間の性質であるか否かを決定することによって、前記パケットデータコンテキストを選択的に事前登録するために前記トリガが存在することを決定するためのものである請求項５５記載の装置。
【請求項６６】
前記トランシーバおよびネットワークインターフェースを通しての前記コンピューティングプラットフォームは、さらに、
前記第２の無線アクセス技術における高レートパケットデータ（ＨＰＲＤ）を使用して、複数のパーソナリティとの最適化されたデータ（ＤＯ）セッションを生成させることと、
無線アクセスネットワーク（ＲＡＮ）レベル認証を実行することと、
リンク制御プロトコル（ＬＣＰ）ネゴシエーションと、拡張可能認証プロトコル（ＥＡＰ）認証と、キー合意（ＡＫＡ）認証とを実行することとによって、
前記トリガより前に部分的に事前登録するためのものであり、
ロングタームエボリューション（ＬＴＥ）を含む前記第１の無線アクセス技術を使用して、前記第１の無線アクセスネットワーク中に現在存在しているパケットデータネットワーク（ＰＤＮ）接続ごとに、ＨＰＲＤサービングゲートウェイ（ＨＳＧＷ）において、ＰＤＮコンテキストを確立することと、
ＬＴＥ中に現在存在しているサービス品質（ＱｏＳ）フローごとに、進化したアクセスノード（ｅＡＮ）と前記ＨＳＧＷとにおいて、ＱｏＳコンテキストを確立することとによって、
前記トリガの後に事前登録することを完了するためのものである請求項５５記載の装置。
【請求項６７】
前記コンピューティングプラットフォームは、さらに、アプリケーションが事前登録を要求するか否かを決定することによって、前記パケットデータコンテキストを選択的に事前登録するために前記トリガが存在することを決定するためのものである請求項５５記載の装置。
【請求項６８】
前記コンピューティングプラットフォームは、さらに、事前登録するためのネットワーク要求を前記ユーザ機器に送信することによって、前記パケットデータコンテキストを選択的に事前登録するために前記トリガが存在することを決定するためのものである請求項５５記載の装置。
【請求項６９】
前記トランシーバは、さらに、事前登録コールフローの及ぶ範囲を規定するパラメータをシグナリングするためのオーバーヘッドメッセージを送信することによって、事前登録するための前記ネットワーク要求を前記ユーザ機器に送信するためのものである請求項６８記載の装置。
【請求項７０】
前記トランシーバは、さらに、前記第１の無線アクセス技術を使用して、前記第１の無線アクセスネットワークからユーザ機器との複数のパケットデータ接続を通信するためのものであり、
前記コンピューティングプラットフォームは、さらに、前記複数のパケットデータ接続のうちの選択された１つに対して、それぞれのパケットデータコンテキストを選択的に事前登録するためにトリガが存在していることを決定するためのものであり、
前記ネットワークインターフェースは、さらに、データトンネルを促進することによって、前記選択されたパケットデータコンテキストを、前記第２の無線アクセス技術を使用する前記第２の無線アクセスネットワークに事前登録することをさらに含む請求項５５記載の装置。
【発明の詳細な説明】
【背景】
【０００１】
分野
本開示は、移動体オペレーティング環境に関する。さらに詳細に述べると、異なる無線アクセス技術を使用するカバレッジエリアを変更するとき、データパケットセッションの継続性を維持することに関する。
【０００２】
背景
ワイヤレス通信システムは、音声、データ等のような、さまざまなタイプの通信コンテンツを提供するように、幅広く展開されている。これらのシステムは、利用可能なシステムリソース（例えば、帯域幅および送信電力）を共有することによって、複数のユーザとの通信をサポートできる多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００３】
一般的に、ワイヤレス多元接続通信システムは、複数のワイヤレス端末に対する通信を同時にサポートできる。各端末は、フォワードリンクおよびリバースリンク上での送信を通して、１つ以上の基地局と通信する。フォーワードリンク（すなわちダウンリンク）は、基地局から端末への通信リンクのことを意味し、そしてリバースリンク（すなわちアップリンク）は、端末から基地局への通信リンクのことを意味する。この通信リンクは、単一入力単一出力、複数入力単一出力または複数入力複数出力（ＭＩＭＯ）システムによって確立されてもよい。
【０００４】
ユニバーサル移動体電気通信システム（ＵＭＴＳ）は、第三世代（３Ｇ）セル電話機技術のうちの１つである。ＵＭＴＳ地上無線アクセスネットワークの省略であるＵＴＲＡＮは、ＵＭＴＳ無線アクセスネットワークを構成する、ノードＢおよび無線ネットワーク制御装置に対する集合用語である。この通信ネットワークは、リアルタイムの回線交換からＩＰベースのパケット交換への多くのトラフィックタイプを運ぶことができる。ＵＴＲＡＮは、ＵＥ（ユーザ機器）とコアネットワークとの間の接続性を可能にする。ＵＴＲＡＮは、基地局を含み、これらは、ノードＢ、および無線ネットワーク制御装置（ＲＮＣ）と呼ばれる。ＲＮＣは、１つ以上のノードＢに制御機能を提供する。ノードＢおよびＲＮＣは同じデバイスとすることができるが、典型的なインプリメンテーションは、中央局が担当している複数のノードＢ中に位置付けられている別個のＲＮＣを持つ。典型的なインプリメンテーションは、物理的に離れている必要はないという事実に関わらず、Ｉｕｂとして知られている論理インターフェースがそれらの間には存在する。ＲＮＣおよびその対応するノードＢは、無線ネットワークサブシステム（ＲＮＳ）と呼ばれる。ＵＴＲＡＮ中には１つよりも多いＲＮＳが存在することがある。
【０００５】
（ＩＭＴマルチキャリア（ＩＭＴ ＭＣ）としても知られている）ＣＤＭＡ２０００は、ＣＤＭＡチャネルアクセスを使用して、移動電話機とセルサイトとの間で、音声、データ、およびシグナリングデータを送る３Ｇ移動体技術標準規格のファミリーである。標準規格のセットは、ＣＤＭＡ２０００ １Ｘ，ＣＤＭＡ２０００ ＥＶ−ＤＯ Ｒｅｖ．０、ＣＤＭＡ２０００ ＥＶ−ＤＯ Ｒｅｖ．Ａ、およびＣＤＭＡ２０００ ＥＶ−ＤＯ Ｒｅｖ．Ｂを含む。すべて、ＩＴＵのＩＭＴ−２０００のための無線インターフェースが認可されている。ＣＤＭＡ２０００は、比較的長い技術的歴史があり、その以前の２Ｇイテレーション（ｉｔｅｒａｔｉｏｎ）ＩＳ−９５（ｃｄｍａＯｎｅ）と下位互換性がある。
【０００６】
１ｘおよび１ｘＲＴＴとしても知られているＣＤＭＡ２０００ １Ｘ（ＩＳ−２０００）は、コアＣＤＭＡ２０００ワイヤレスエアインターフェース標準規格である。“１ｘ”という指定は、ワンタイム無線送信技術を意味しており、ＩＳ−９５と同じＲＦ帯域幅：１．２５ＭＨｚ無線チャネルのデュプレクス対を示している。１ｘＲＴＴは、６４個のオリジナルセットに直交している（との直角位相で）フォワードリンクに、６４個以上のトラフィックチャネルを追加することによって、ＩＳ−９５の容量をほぼ２倍にする。１Ｘ標準規格は、１５３ｋｂｐｓまでのパケットデータスピードをサポートし、現実のデータ送信は、平均すると、多くの商業的アプリケーションでは６０−１００ｋｂｐｓになる。ＩＭＴ−２０００はまた、データサービスのより多い使用のためにデータリンクレイヤーに変更を行った。データサービスは、メディアおよびリンクアクセス制御プロトコルならびにサービス品質（ＱｏＳ）を含む。ＩＳ−９５データリンクレイヤーは、データには“ベストエフォート配信”を、音声には回線切り替えチャネル（すなわち、２０ｍｓごとに一度の音声フレーム）を提供したのみである。
【０００７】
ＥＶ−ＤＯまたはＥＶと略されることが多いＣＤＭＡ２０００ １ｘＥＶ−ＤＯ（最適化された進化データ）は、無線信号を通してのデータのワイヤレス送信のための、典型的にはブロードバンドインターネットアクセスのための電気通信標準規格である。ＣＤＭＡ２０００ １ｘＥＶ−ＤＯは、個々のユーザのスループットおよびシステム全体のスループットの両方を最大にするための、コード分割多元接続（ＣＤＭＡ）とともに時分割多元接続（ＴＤＭＡ）を含む多重化技術を使用する。ＣＤＭＡ２０００ １ｘＥＶ−ＤＯは、標準規格のＣＤＭＡ２０００ファミリーの一部として、第３世代パートナーシッププロジェクト２（３ＧＰＰ２）によって標準化されており、特に以前にはＣＤＭＡネットワークを用いていた、世界中の多くの移動体電話機サービスプロバイダによって採用されている。
【０００８】
３ＧＰＰ ＬＴＥ（ロングタームエボリューション）は、将来の要求に対処するためのＵＭＴＳ移動体電話機標準規格を改善させるために、第３世代パートナーシッププロジェクト（３ＧＰＰ）内のプロジェクトに与えられている名前である。目的は、効率を改善することと、コストを低くすることと、サービスを改善することと、新しいスペクトラム機会を使用することと、他のオープンな標準規格とのより良い統合とを含む。進化したＵＴＲＡ（ＥＵＴＲＡ）および進化したＵＴＲＡＮ（ＥＵＴＲＡＮ）シリーズの仕様書中で、ＬＴＥシステムは記述されている。
【概要】
【０００９】
このような態様の基本的な理解を提供するために、１つ以上の態様の簡略化した概要を以下は示している。この概要は、すべての企図した態様の広範な概観ではなく、すべての態様の重要なまたは不可欠なエレメントを識別することも、何らかの態様またはすべての態様の範囲を詳細に述べることも意図していない。この唯一の目的は、後に示す、より詳細な説明に対する前置きとして、１つ以上の態様のうちのいくつかの概念を、簡略化した形態で示すことである。
【００１０】
１つの態様では、パケットデータネットワークにおけるセッションの継続性を維持するための方法を提供する。パケットデータは、第１の無線アクセス技術を使用して、第１の無線アクセスネットワークと通信される。パケットデータコンテキストを選択的に事前登録するために存在するトリガが決定される。パケットデータコンテキストは、第１の無線アクセスネットワークによって確立されたデータトンネルを通して、第２の無線アクセス技術を使用する第２の無線アクセスネットワークに事前登録される。
【００１１】
別の態様では、パケットデータネットワークにおけるセッションの継続性を維持するための少なくとも１つのプロセッサを提供する。第１のモジュールが、第１の無線アクセス技術を使用して第１の無線アクセスネットワークとパケットデータを通信する。第２のモジュールが、パケットデータコンテキストを選択的に事前登録するためにトリガが存在することを決定する。第３のモジュールは、第１の無線アクセスネットワークによって確立されたデータトンネルを通して、第２の無線アクセス技術を使用する第２の無線アクセスネットワークにパケットデータコンテキストを事前登録する。
【００１２】
付加的な態様では、パケットデータネットワークにおけるセッションの継続性を維持するコンピュータプログラムプロダクトを提供する。一時的でないコンピュータ読み取り可能な記憶媒体は、コードのセットを含む。コードの第１のセットが、第１の無線アクセス技術を使用して第１の無線アクセスネットワークとパケットデータをコンピュータに通信させる。コードの第２のセットが、パケットデータコンテキストを選択的に事前登録するためにトリガが存在することをコンピュータに決定させる。コードの第３のセットが、第１の無線アクセスネットワークによって確立されたデータトンネルを通して、第２の無線アクセス技術を使用する第２の無線アクセスネットワークにパケットデータコンテキストをコンピュータに事前登録させる。
【００１３】
別の付加的な態様では、パケットデータネットワークにおけるセッションの継続性を維持する装置を提供する。第１の無線アクセス技術を使用して第１の無線アクセスネットワークとパケットデータを通信する手段を提供する。パケットデータコンテキストを選択的に事前登録するためにトリガが存在することを決定する手段を提供する。第１の無線アクセスネットワークによって確立されたデータトンネルを通して、第２の無線アクセス技術を使用する第２の無線アクセスネットワークにパケットデータコンテキストを事前登録する手段を提供する。
【００１４】
さらなる態様では、パケットデータネットワークにおけるセッションの継続性を維持する装置を提供する。トランシーバが、第１の無線アクセス技術を使用して第１の無線アクセスネットワークとパケットデータを通信する。コンピューティングプラットフォームが、パケットデータコンテキストを選択的に事前登録するためにトリガが存在することを決定する。トランシーバは、第１の無線アクセスネットワークによって確立されたデータトンネルを通して、第２の無線アクセス技術を使用する第２の無線アクセスネットワークにパケットデータコンテキストをさらに事前登録する。
【００１５】
さらなる別の態様では、パケットデータネットワークにおけるセッションの継続性を維持するための方法を提供する。パケットデータが、第１の無線アクセス技術を使用して、第１の無線アクセスネットワークからユーザ機器と通信される。トリガが、パケットデータコンテキストを選択的に事前登録するために存在すると決定される。パケットデータコンテキストは、データトンネルを促進することによって、第２の無線アクセス技術を使用する第２の無線アクセスネットワークに事前登録される。
【００１６】
さらなる付加的な態様では、パケットデータネットワークにおけるセッションの継続性を維持する少なくとも１つのプロセッサを提供する。第１のモジュールが、第１の無線アクセス技術を使用して、第１の無線アクセスネットワークからユーザ機器とパケットデータを通信する。第２のモジュールが、パケットデータコンテキストを選択的に事前登録するためにトリガが存在することを決定する。第３のモジュールが、データトンネルを促進することによって、パケットデータコンテキストを、第２の無線アクセス技術を使用する第２の無線アクセスネットワークに事前登録する。
【００１７】
さらなる別の付加的な態様では、パケットデータネットワークにおけるセッションの継続性を維持するためのコンピュータプログラムプロダクトを提供する。一時的でないコンピュータ読み取り可能記憶媒体は、コードのセットを具備する。コードの第１のセットが、第１の無線アクセス技術を使用して、コンピュータに、第１の無線アクセスネットワークからユーザ機器とパケットデータを通信させる。コードの第２のセットが、パケットデータコンテキストを選択的に事前登録するためにトリガが存在することをコンピュータに決定させる。コードの第３のセットは、データトンネルを促進することによって、パケットデータコンテキストを、第２の無線アクセス技術を使用する第２の無線アクセスネットワークにコンピュータに事前登録させる。
【００１８】
さらに、さらなる態様では、パケットデータネットワークにおけるセッションの継続性を維持する装置を提供する。第１の無線アクセス技術を使用して、第１の無線アクセスネットワークからユーザ機器とパケットデータを通信する手段を提供する。パケットデータコンテキストを選択的に事前登録するためにトリガが存在することを決定する手段を提供する。データトンネルを促進することによって、パケットデータコンテキストを、第２の無線アクセス技術を使用する第２の無線アクセスネットワークに事前登録する手段を提供する。
【００１９】
別の態様では、パケットデータネットワークにおけるセッションの継続性を維持する装置を提供する。トランシーバが、第１の無線アクセス技術を使用して、第１の無線アクセスネットワークからユーザ機器とパケットデータを通信する。コンピューティングプラットフォームが、パケットデータコンテキストを選択的に事前登録するためにトリガが存在することを決定する。ネットワークインターフェースが、データトンネルを促進することによって、パケットデータコンテキストを、第２の無線アクセス技術を使用する第２の無線アクセスネットワークに事前登録する。
【００２０】
先述の関連した目的の達成のために、詳細な説明および添付した図面とともに、１つ以上の態様は、以下で十分に記述した特徴および特許請求の範囲において特に指摘した特徴を含む。以下の記述および添付した図面では、１つ以上の態様のいくつかの例示的な特徴を詳細に述べている。しかしながら、これらの特徴は、ほんの数例のさまざまな方法を示しているにすぎず、ここでは、さまざまな態様の原理を用いてもよく、この記述はこのようなすべての態様、および、これらの均等物を含むことを意図している。
【図面の簡単な説明】
【００２１】
【図１】図１は、パケットデータネットワークの最適化をサポートするワイヤレス通信システムの概略ダイヤグラムを図示している。
【図２】図２は、ＬＴＥからｅＨＲＰＤカバレッジへの移行を最適化するための事前登録および登録のためのタイミングダイヤグラムを図示している。
【図３】図３は、ＬＴＥトンネルを通して、ｅＨＲＰＤネットワークにおいて最適化される事前登録のための方法論に対するフローダイヤグラムを図示している。
【図４】図４は、パケットデータネットワークにおけるセッションの継続性を維持するための方法論に対するフローダイヤグラムを図示している。
【図５】図５は、パケットデータネットワークにおけるセッションの継続性を維持するための方法論のためのフローダイヤグラムを図示している。
【図６】図６は、パケットデータネットワークにおけるセッションの継続性を維持するための装置の概略ダイヤグラムを図示している。
【図７】図７は、パケットデータネットワークにおけるセッションの継続性を維持するための装置の概略ダイヤグラムを図示している。
【図８】図８は、パケットデータネットワークにおけるセッションの継続性を維持するためのシステムの概略ダイヤグラムを図示している。
【図９】図９は、パケットデータネットワークにおけるセッションの継続性を維持するためのシステムの概略ダイヤグラムを図示している。
【図１０】図１０は、パケットデータネットワークにおけるセッションの継続性を維持する手段を持つ装置の概略ダイヤグラムを図示している。
【図１１】図１１は、パケットデータネットワークにおけるセッションの継続性を維持する手段を持つ装置の概略ダイヤグラムを図示している。
【図１２】図１２は、多元接続ワイヤレス通信システムの概略ダイヤグラムを図示している。
【図１３】図１３は、複数入力複数出力ワイヤレス通信のための、２つのノードの概略ダイヤグラムを図示している。
【図１４】図１４は、多数のユーザをサポートするように構成されているワイヤレス通信システムの概略ダイヤグラムを図示している。
【詳細な説明】
【００２２】
多くの３ＧＰＰ２オペレータは、進歩している３ＧＰＰロングタームエボリューション（ＬＴＥ）を配備している。初期の配備は、より大きいユニバーサル進化した高レートパケットデータ（ｅＨＲＰＤ）カバレッジを有するＬＴＥカバレッジの島を持つことが予期される。したがって、ＬＴＥ上でキャンプされている移動体ユーザ機器（ＵＥ）は、ＬＴＥカバレッジから出され、そのサービスを継続するためにｅＨＲＰＤに移動することが強いられることもあり得る。良好なユーザ経験を提供するためには、ＬＴＥからｅＨＲＰＤに移動している間、最小限のサービスの切断であることが必要である。データオンリー（ＤＯ）セッションを生成してから、ｅＨＲＰＤに移動した後のポイントツーポイントプロトコル（ＰＰＰ）コンテキストおよびサービス品質（ＱｏＳ）コンテキストは、数十秒かかることがあり、ｅＨＲＰＤ上でサービスが再開され得る前に顕著なギャップを回避するための手順は公開されていない。特に、ＵＥは、依然としてＬＴＥ上でキャンプされている間、ｅＨＲＰＤ上で選択的に事前登録される。事前登録は、ｅＨＲＰＤネットワークにおいて、ＬＴＥネットワーク中で存在する同じパケットデータネットワーク（ＰＤＮ）／ＱｏＳコンテキストを確立および維持することを含むことができる。ＬＴＥエアインターフェースおよびコアネットワーク上のトラフィックの過度の増加を回避するために、最適化を提供し、最適化は、ｅＨＲＰＤ中で事前に確立される必要があるＰＤＮコンテキストを選択するために使用できる。したがって、トラフィックの負荷を減少させる。
【００２３】
これから、図面を参照して、様々な態様を記述する。以下の記述では、説明の目的のために、１つ以上の態様の十分な理解を提供するために、多数の特定の詳細を述べる。しかしながら、これらの特定の詳細なしに、様々な態様を実施してもよいことは明らかであるかもしれない。他の事例では、記述しているこれらの態様を促進するために、よく知られている構成およびデバイスをブロック図の形態で示す。
【００２４】
図１を最初に参照すると、コアネットワーク１１２を通してサービス提供するロングタームエボリューション（ＬＴＥ）ネットワーク１１０によって促進されているデータトンネル１０８を通して、進化した高レートパケットデータ（ｅＨＲＰＤ）ネットワーク１０６中のユーザ機器（ＵＥ）１０４に対するパケットデータネットワーク（ＰＤＮ）コンテキスト１０２を生成させることによって、ワイヤレス通信システム１００は最適化をサポートしている。選択的事前登録１１４は、ハンドオフを実行するものの、完全に必ず登録するオーバーヘッドの負担がないとき、登録のための時間を大幅に短縮する。
【００２５】
多くの３ＧＰＰ２オペレータは、進化した基地ノード（ｅＮＢ）１１６として描写されているＬＴＥを次第に配備している。初期の配備は、より広い利用可能なｅＨＲＰＤカバレッジ１２０内でＬＴＥカバレッジ１１８の島を持つと予期される。したがって、ＬＴＥカバレッジ１１８上でキャンプされている移動体ＵＥ１０４は、ＬＴＥカバレッジ１１８から出て、そのサービスを続けるためにｅＨＲＰＤカバレッジ１２０に移動せざるを得ないこともあり得る。
【００２６】
良好なユーザ経験を提供するためには、ＬＴＥカバレッジからｅＨＲＰＤカバレッジ１２０に移動する間、最小限のサービスの切断であることが必要である。ｅＨＲＰＤに移動した後に、（最適化されたデータ）ＤＯセッション、ポイントツーポイントプロトコル（ＰＰＰ）コンテキストおよびサービス品質（ＱｏＳ）コンテキストを生成させるには、数十秒かかることがある。本発明は、ｅＨＲＰＤカバレッジ１２０上でサービスが再開され得る前に、そうでなければ顕著なギャップになるであろうものを回避するための手順を提供する。特に、ＬＴＥネットワーク１１０上でキャンプされている間、ＵＥがｅＨＲＰＤネットワーク１０６上で事前登録することをここで記述する。１つの態様では、システム１００を不必要に負担させることを回避するために、事前登録することは、選択的に、または、不完全に実行される。
【００２７】
ＵＥ１０４およびｅＮＢ１１６は、ｅＨＲＰＤネットワーク１０６への前述の選択的事前登録を実行するために、それぞれ、事前登録コンポーネント１５０、１５２を組み込むことができる。
【００２８】
図２では、タイミングダイヤグラム２００は、ＬＴＥからｅＨＲＰＤカバレッジへの移行を最適化するための、事前登録および登録のための例示的な方法論を描写している。初めに、ＵＥ２０２は、ＬＴＥセル２０４上にキャンプされている（ブロック２０６）。ＬＴＥセル２０４は、２０８において描写されているように、“許可された事前登録”フラグが設定されたシステム情報ブロック（ＳＩＢ）をブロードキャストする。ＬＴＥセル２０４上でキャンプされている間、ＵＥ２０２は、事前登録手順を実行する。これは、２１０において描写されている。事前登録手順の間、ＵＥ２０２は、ＬＴＥ無線リソース制御（ＲＲＣ）メッセージ２１４内のＤＯメッセージ２１２をＬＴＥセル２０４に送る。ＬＴＥネットワーク２１６が、トンネル２２０を通して、ＤＯメッセージ２１２をｅＨＲＰＤネットワーク２１８に移送する。
【００２９】
ＵＥ２０２によって送られたＤＯメッセージ２１２は、
（１）複数のパーソナリティとのＤＯセッションを生成させるために（ブロック２２２）；
（２）無線アクセスネットワーク（ＲＡＮ）−レベル認証を実行するために（ブロック２２４）；
（３）リンク制御プロトコル（ＬＣＰ）ネゴシエーションおよび拡張可能認証プロトコル（ＥＡＰ）−認証およびキー合意（ＡＫＡ）認証（ブロック２２６）のために、
ｅＨＲＰＤネットワーク２１８によって使用される。ＬＣＰは、カプセル化フォーマットオプションに自動的に同意し、変動するパケットサイズ制限を取り扱い、リンク上のそのピアの識別子を認証し、リンクが適切に機能しているとき、および、リンクが機能していないときを決定し、ループドバックリンクおよび他の共通の間違い設定エラーを検出し、リンクを終了するために使用される。  
（４）ＬＴＥ中に現在存在している各ＰＤＮ接続のために、ＨＲＰＤサービングゲートウェイ（ＨＳＧＷ）においてＰＤＮコンテキストを確立する（ブロック２２８）。  
（５）ＬＴＥ中に現在存在している各ＱｏＳフローに対して、進化したアクセスノード（ｅＡＮ）とＨＳＧＷとにおいて、ＱｏＳコンテキストを確立する（ブロック２３２）。
【００３０】
しかしながら、ＬＴＥ中に存在するようなｅＨＲＰＤネットワーク２１８において、正確なＰＤＮ／ＱｏＳコンテキスト状態を維持することは、以下の理由に起因して、ＬＴＥエアインターフェースおよびＬＴＥ−ｅＨＲＰＤトンネルを通して、多くのトラフィックを導くことができる。
【００３１】
（１）ＵＥ２０２が初期の事前登録を完了する時間と、ＵＥ２０２がｅＨＲＰＤネットワーク２１８に移動する時間との間の遅延は大きくなることがある（ブロック２３４）。例えば、ＵＥ２０２が、静止している／ゆっくり動いている、または、ＵＥ２０２が、ＬＴＥカバレッジ２０４に、より奥深く移動している。
【００３２】
（２）この時間において、生成される新しいＰＤＮ接続（ブロック２３６）ごとに、ＵＥ２０２は、２３８において描写されているように、ステップ４（ブロック２２８）および５（ブロック２３２）を実行しなければならない。
【００３３】
（３）この時間の間に、既存のＰＤＮ接続が切断されたとき（ブロック２４０）、ＵＥ２０２はまた、ＬＴＥトンネル２２０を通して、ＨＳＧＷ２２６において、ＰＤＮコンテキストおよびＱｏＳコンテキストも削除しなければならない（ブロック２４２）。これは、オペレータによって提供される、ある短期間のサービス（例えば、プッシュｅ−メール）には特に非効率的である。これらのケースでは、ＰＤＮ接続は、短い時間量の間、急に止められ、その後、切断される
（４）２４６において描写されているように、新しい事前登録ゾーンをアドバタイズする第２のＬＴＥセル２４４にＵＥ２０２が移動した場合、ＵＥ２０２は、２４８において描写されているように、すべてのステップを再び反復しなければならないかもしれない。
【００３４】
（５）ＵＥは、ＬＴＥ上でキャンプされている間、ＰＤＮ接続を１１個まで持つことができる。（ブロック２５０）。
【００３５】
（６）ＰＤＮ接続が、頻繁に確立およびリリースされるＱｏＳフローを持っている場合、最新のｅＨＲＰＤ事前登録コンテキストを保つことが、多くのシグナリングにつながることになる（ブロック２５２）。
【００３６】
結果的に、ｅＨＲＰＤネットワーク２１８中のＬＴＥネットワーク２１６中で存在する同じＰＤＮ／ＱｏＳコンテキストを確立／維持することを含む事前登録は、ＬＴＥエアインターフェース（ＡＩ）およびコアネットワーク上のトラフィックを増加させることができる。したがって、本発明では、ｅＨＲＰＤネットワーク２１８中で事前に確立される必要があるＰＤＮコンテキストを選択するために使用できる最適化を開示している。ゆえに、トラフィックの負荷を減少させることができる。
【００３７】
これを受けて、図３では、ＬＴＥトンネルを通して、ｅＨＲＰＤネットワークにおいて最適化された事前登録のための方法論３００が描写されている。１つの態様では、ＵＥが、ＰＤＮ接続のサブセットに対してのみ、事前登録ＰＤＮ／ＱＯＳコンテキストを生成することを、このような最適化は提供する。（ブロック３０２）。代替的に、または、付加的に、ＵＥは、ｅＨＲＰＤへのハンドオーバーを実行する間近のときだけ、事前登録ＰＤＮ／ＱｏＳコンテキストを生成する（ブロック３０４）。さらに別の態様として、ＵＥは、トンネルを通して、および、ＰＰＰ状態にない、ＤＯセッションのみを生成させる（ブロック３０５）。所定のＰＤＮコンテキストがＬＴＥ上で確立したか否かを決めるためにＵＥによって使用できる以下の条件は、トンネルを通して、ｅＨＲＰＤネットワーク中で再現される必要がある。
【００３８】
第１に、ＵＥは、事前登録するように要請されたときに前に特定された事前登録手順のステップ１−３を完了できる。特に、（１）複数のパーソナリティとのＤＯセッションを生成させる（ブロック３０６）；（２）ＲＡＮ−レベル認証（ブロック３０８）；および（３）ＬＣＰネゴシエーションおよびＥＡＰ−ＡＫＡ認証（ブロック３１０）を実行する。しかしながら、事前登録を完了することは、必要であると考えられるまで延期できる（すなわち、ステップ４および５）（ブロック３１２）。例えば、ＬＴＥ信号強度が、あるしきい値を下回る（ブロック３１４）。別の事例では、ＬＴＥネットワークがｅＨＲＰＤ隣接者にアドバタイズしている場合、ｅＨＲＰＤ隣接者の信号強度が、あるしきい値を上回るとき、ＵＥは、ステップ４および５を実行できる。（ブロック３１６）。
【００３９】
第２の態様では、代替的に、または、付加的に、登録を完了すること（すなわち、ステップ４および５）は、リアルタイムサービスとのＰＤＮ接続のためだけに実行できる（ブロック３１８）。ＵＥは、ＰＤＮ接続を構成するベアラに関係付けられている、サービスデータフロー（ＳＤＦ）のＱｏＳプロファイルを調べることによって、どのＰＤＮ接続がリアルタイムフローを持つかを決定できる。（ブロック３２０）。
【００４０】
第３の態様では、代替的に、または、付加的に、事前登録を完了すること（すなわち、ステップ４および５）は、短期間のＰＤＮ接続の間、回避される（ブロック３２２）。これは、以前の経歴に基づいて、または、ベアラ確立手順の間に知られた満了時間フィールドを通して、ＵＥによって知ることができる。（ブロック３２４）。
【００４１】
第４の態様では、代替的に、または、付加的に、アプリケーションに露出されるアプリケーションプログラムインターフェース（ＡＰＩ）は、最適化されたハンドオーバーを要求するためのアプリケーションによって使用されるフィールドを含めるように修正できる（ブロック３２６）。フィールドが設定された場合、ＰＤＮコンテキストは、トンネルを通して、ｅＨＲＰＤネットワーク中で常に再現される（ブロック３２８）。
【００４２】
図４では、パケットデータネットワークにおけるセッションの継続性を維持するための、動作４００の方法論すなわちシーケンスが描写されている。パケットデータは、第１の無線アクセス技術を使用して、第１の無線アクセスネットワークと通信される（ブロック４０４）。トリガが、パケットデータコンテキストを選択的に事前登録するために存在すると決定される（ブロック４０６）。パケットデータコンテキストは、第１の無線アクセスネットワークによって確立されるデータトンネルを通して、第２の無線アクセス技術を使用する第２の無線アクセスネットワークに事前登録される。（ブロック４０８）。
【００４３】
図５では、パケットデータネットワークにおけるセッションの継続性を維持するための、動作５００の方法論すなわちシーケンスが描写されている。第１の無線アクセス技術を使用して、パケットデータが、第１の無線アクセスネットワークからユーザ機器と通信される（ブロック５０４）。トリガが、パケットデータコンテキストを選択的に事前登録するために存在すると決定される（ブロック５０６）。パケットデータコンテキストは、データトンネルを促進することによって、第２の無線アクセス技術を使用する第２の無線アクセスネットワークに事前登録される（ブロック５０８）。
【００４４】
図６では、パケットデータネットワーク６０２におけるセッションの継続性を維持するための装置６００が描写されている。トランシーバ６０４は、第１の無線アクセス技術を使用して、第１の無線アクセスネットワーク６０８とパケットデータ６０６を通信する。コンピューティングプラットフォーム６１０が、パケットデータコンテキスト６１４を選択的に事前登録するためにトリガ６１２が存在することを決定する。トランシーバ６０４は、第１の無線アクセスネットワークによって確立されたデータトンネル６１８を通して、第２の無線アクセス技術を使用する第２の無線アクセスネットワーク６１６にパケットデータコンテキスト６１４をさらに事前登録する。
【００４５】
図７では、パケットデータネットワーク７０２におけるセッションの継続性を維持するための装置７００が描写されている。トランシーバ７０４が、第１の無線アクセス技術を使用して、第１の無線アクセスネットワーク７１０から、パケットデータ７０６をユーザ機器７０８と通信する。コンピューティングプラットフォーム７１２が、パケットデータコンテキスト７１６を選択的に事前登録するためにトリガ７１４が存在することを決定する。ネットワークインターフェース７１８は、データトンネル７２０を促進することによって、パケットデータコンテキスト７１６を、第２の無線アクセス技術を使用する第２の無線アクセスネットワーク７２２に事前登録する。
【００４６】
図８を参照すると、パケットデータネットワークにおけるセッションの継続性を維持するためのシステム８００が図示されている。例えば、システム８００は、ユーザ機器（ＵＥ）内で少なくとも部分的に存在できる。システム８００が機能ブロックを備えるとして表されていることを正しく認識すべきである。機能ブロックは、コンピューティングプラットフォーム、プロセッサ、ソフトウェア、またはこれらの組み合わせ（例えば、ファームウェア）によって実現される機能を表す機能ブロックとすることができる。システム８００は、共に動作できる電気コンポーネントの論理グルーピング８０２を含む。例えば、論理グルーピング８０２は、第１の無線アクセス技術を使用して第１の無線アクセスネットワークとパケットデータを通信するための電気コンポーネント８０４を備えることができる。さらには、論理グルーピング８０２は、パケットデータコンテキストを選択的に事前登録するためにトリガが存在することを決定するための電気コンポーネント８０６を備えることができる。別の事例として、論理グルーピング８０２は、第１の無線アクセスネットワークによって確立されたデータトンネルを通して、第２の無線アクセス技術を使用する第２の無線アクセスネットワークにパケットデータコンテキストを事前登録するための電気コンポーネント８０８を備えることができる。付加的に、システム８００は、電気コンポーネント８０４−８０８に関係付けられている機能を実行するための命令を保持するメモリ８２０を備えることができる。メモリ８２０の外部にあるものとして示されているが、電気コンポーネント８０４および８０８のうちの１つ以上はメモリ８２０内に存在できることを理解すべきである。
【００４７】
図９を参照すると、パケットデータネットワークにおけるセッションの継続性を維持するためのシステム９００が図示されている。例えば、システム９００は、ネットワークエンティティ内で少なくとも部分的に存在できる。システム９００が機能ブロックを備えるとして表されていることを正しく認識すべきであり、機能ブロックは、コンピューティングプラットフォーム、プロセッサ、ソフトウェア、またはこれらの組み合わせ（例えば、ファームウェア）によって実現される機能を表す機能ブロックとすることができる。システム９００は、共に動作できる電気コンポーネントの論理グルーピング９０２を備える。例えば、論理グルーピング９０２は、第１の無線アクセス技術を使用して、第１の無線アクセスネットワークからユーザ機器とパケットデータを通信するための電気コンポーネント９０４を備えることができる。さらに、論理的グルーピング９０２は、パケットデータコンテキストを選択的に事前登録するためにトリガが存在することを決定するための電気コンポーネント９０６を含むことができる。別の例として、論理的グルーピング９０２は、データトンネルを促進することによって、パケットデータコンテキストを、第２の無線アクセス技術を使用する第２の無線アクセスネットワークに事前登録するための電気コンポーネント９０８を備えることができる。付加的に、システム９００は、電気コンポーネント９０４および９０８に関係付けられている機能を実行するための命令を保持するメモリ９２０を含むことができる。メモリ９２０の外部にあるものとして示されているが、電気コンポーネント９０４および９０８のうちの１つ以上はメモリ９２０内に存在できることを理解すべきである。
【００４８】
図１０では、パケットデータネットワークにおけるセッションの継続性を維持するための装置１００２が描写されている。第１の無線アクセス技術を使用して第１の無線アクセスネットワークとパケットデータを通信する手段１００４が提供されている。パケットデータコンテキストを選択的に事前登録するためにトリガが存在することを決定する手段１００６が提供されている。第１の無線アクセスネットワークによって確立されたデータトンネルを通して、第２の無線アクセス技術を使用する第２の無線アクセスネットワークにパケットデータコンテキストを事前登録する手段１００８が提供されている。
【００４９】
図１１では、パケットデータネットワークにおけるセッションの継続性を維持するための装置１１０２が描写されている。第１の無線アクセス技術を使用して第１の無線アクセスネットワークからユーザ機器とパケットデータを通信する手段１１０４が提供されている。パケットデータコンテキストを選択的に事前登録するためにトリガが存在することを決定する手段１１０６が提供されている。データトンネルを促進することによって、パケットデータコンテキストを、第２の無線アクセス技術を使用する第２の無線アクセスネットワークに事前登録する手段１１０８が提供されている。
【００５０】
音声、データ等のような、さまざまなタイプの通信コンテンツを提供するために、ワイヤレス通信システムが広範囲に展開されていることを正しく認識すべきである。これらのシステムは、利用可能なシステムリソース（例えば、帯域幅および送信電力）を共有することによって、複数のユーザとの通信をサポートできる多元接続システムであってもよい。このような多元接続システムの例は、コード分割多元接続（ＣＤＭＡ）システムや、時分割多元接続（ＴＤＭＡ）システムや、周波数分割多元接続（ＦＤＭＡ）システムや、３ＧＰＰ ＬＴＥシステムや、直交周波数分割多元接続（ＯＦＤＭＡ）システムを含む。
【００５１】
ワイヤレス多元接続通信システムは、複数のワイヤレスアクセス端末に対する通信を同時にサポートしてもよい。上述したように、各端末は、フォワードリンク上およびリバースリンク上での送信を通して、１つ以上の基地局と通信してもよい。フォーワードリンク（すなわちダウンリンク）は、基地局から端末への通信リンクのことを意味し、リバースリンク（すなわちアップリンク）は、端末から基地局への通信リンクのことを意味する。この通信リンクは、単一入力単一出力システム、複数入力複数出力（“ＭＩＭＯ”）システム、または他の何らかのタイプのシステムを通して確立されてもよい。
【００５２】
図１２を参照すると、１つの態様にしたがった、多元接続ワイヤレス通信システムが図示されている。アクセスポイント（ＡＰ）１２００は、複数のアンテナグループを含み、１つは１２０４および１２０６を、他は１２０８および１２１０を、さらには１２１２および１２１４を含む。図１２では、各アンテナグループに対してアンテナを２本しか示してないが、各アンテナグループに対して、より多くのアンテナ、または、より少ないアンテナを利用してもよい。アクセス端末（ＡＴ）１２１６は、アンテナ１２１２および１２１４と通信しており、ここで、アンテナ１２１２および１２１４は、フォワードリンク１２２０を通してアクセス端末１２１６に情報を送信し、リバースリンク１２１８を通してアクセス端末１２１６から情報を受信する。アクセス端末１２２２は、アンテナ１２０６および１２０８と通信しており、ここで、アンテナ１２０６および１２０８は、フォワードリンク１２２６を通してアクセス端末１２２２に情報を送信し、リバースリンク１２２４を通してアクセス端末１２２２から情報を受信する。周波数分割デュプレクス（ＦＤＤ）システムでは、通信リンク１２１８、１２２０、１２２４および１２２６は、通信のために、異なる周波数を使用してもよい。例えば、フォワードリンク１２２０は、その後リバースリンク１２１８によって使用される異なる周波数を使用してもよい。
【００５３】
通信するように設計されている、アンテナおよび／またはエリアの各グループは、アクセスポイント４００のセクタと呼ばれることが多い。態様では、アンテナグループは、それぞれ、アクセスポイント１２００によってカバーされているエリアのうちの、セクタ中のアクセス端末１２１６および１２２２と通信するように設計されている。
【００５４】
フォワードリンク１２２０および１２２６による通信では、異なるアクセス端末１２１６および１２２２に対するフォワードリンクの信号対ノイズ比を改善させるために、アクセスポイント１２００の送信アンテナは、ビームフォーミングを利用する。また、そのカバレージエリア中でランダムに散在されているアクセス端末に送信するためにビームフォーミングを使用しているアクセスポイントは、そのアクセス端末のすべてに対して、単一のアンテナを通して送信するアクセス端末よりも、隣接セルにおけるアクセス端末に対して、より低い干渉を生じさせる。
【００５５】
アクセスポイント４００は、端末との通信に対して使用される固定局であってもよく、また、アクセスポイント、ノードＢと呼ばれることがあり、または、他の何らかの専門用語で呼ばれることもある。アクセスポイント１２１６および１２２２は、ユーザ機器（ＵＥ）、ワイヤレス通信デバイス、端末とも呼ばれてもよく、または、他の何らかの専門用語で呼ばれることがある。
【００５６】
アクセス端末１２１６およびアクセスポイント１２００は、（示されていない）ｅＨＲＰＤネットワークに、前述した選択的な事前登録を実行するための、事前登録コンポーネント１２５０、１２５２を、それぞれ、組み込むことができる。
【００５７】
ＭＩＭＯシステムは、データ送信のために、複数（ＮT本）の送信アンテナおよび複数（ＮR本）の受信アンテナを用いる。ＮT本の送信アンテナおよびＮR本の受信アンテナによって形成されるＭＩＭＯチャネルは、ＮS個の独立チャネルに分解されてもよく、これを空間チャネルとも呼び、ここでは、ＮS≦ｍｉｎ｛ＮT、ＮR｝である。ＮS個の独立チャネルのそれぞれは、次元に対応する。複数の送信および受信アンテナによって生成されるさらなる次元が利用される場合、ＭＩＭＯシステムは、改善した性能（例えば、より高いスループットおよび／またはより高い信頼性）を提供するかもしれない。
【００５８】
ＭＩＭＯシステムはまた、時分割デュプレックス（“ＴＤＤ”）および周波数分割デュプレックス（“ＦＤＤ”）システムをサポートしてもよい。ＴＤＤシステムでは、相反原理によって、リーバスリンクチャネルからのフォワードリンクチャネルの推定が可能になるように、フォワードおよびリバースリンク送信は同じ周波数領域上でなされる。これによって、複数のアンテナがアクセスポイントにおいて利用可能であるときに、アクセスポイントは、フォワードリンク上の送信ビームフォーミング利得を抽出することができる。
【００５９】
ここでの技術は、少なくとも１つの他のノードと通信するために、さまざまなコンポーネントを用いて、ノード（例えば、デバイス）に組み込まれてもよい。図１３は、ノード間での通信を促進するために用いられてもよい、いくつかのサンプルのコンポーネントを描写している。特に、図１３は、ＭＩＭＯシステム１３００の、ワイヤレスデバイス１３１０（例えば、アクセスポイント）とワイヤレスデバイス１３５０（例えば、アクセス端末）とを図示している。デバイス１３１０において、多数のデータストリームに対するトラフィックデータが、データソース１３１２から送信（“ＴＸ”）データプロセッサ１３１４に提供される。
【００６０】
いくつかの態様では、各データストリームは、それぞれの送信アンテナを通して送信される。ＴＸデータプロセッサ１３１４は、そのデータストリームに対して選択された特定のコーディングスキームに基づいて、各データストリームに対するトラフィックデータをフォーマット化し、コード化し、インターリーブして、コード化されたデータを提供する。
【００６１】
各データストリームに対するコード化されたデータは、ＯＦＤＭ技術を使用して、パイロットデータにより多重化されてもよい。パイロットデータは、典型的に、既知の方法で処理されている既知のデータパターンであり、チャネル応答を推定するために受信機システムにおいて使用されるかもしれない。その後、そのデータストリームに対して選択された特定の変調スキーム（例えば、二相シフトキーイング（ＢＰＳＫ）、四相位相シフトキーイング（ＱＰＳＫ）、Ｍ−ａｒｙ位相シフトキーイング（Ｍ−ＰＳＫ）、または多重直角振幅変調（Ｍ−ＱＡＭ））に基づいて、各データストリームに対する、多重化されたパイロットおよびコード化されたデータは、変調（すなわち、シンボルマッピング）されて、変調シンボルが提供される。各データストリームに対する、データレート、コード化、および変調は、プロセッサ１３３０によって実行される命令によって決定されてもよい。データメモリ１３３２は、デバイス１３１０の、プロセッサ１３３０または他のコンポーネントによって使用される、プログラムコード、データ、および他の情報を記憶してもよい。
【００６２】
すべてのデータストリームに対する変調シンボルが、その後、ＴＸ ＭＩＭＯプロセッサ１３２０に提供され、ＴＸ ＭＩＭＯプロセッサ１３２０が、（例えば、ＯＦＤＭ等のために）変調シンボルをさらに処理してもよい。ＴＸ ＭＩＭＯプロセッサ１３２０は、その後、ＮT個の変調シンボルストリームを、それぞれが送信機（ＴＭＴＲ）および受信機（ＲＣＶＲ）を持つ、ＮT個のトランシーバ（“ＸＣＶＲ”）１３２２ａ−１３２２ｔに提供する。いくつかの態様では、ＴＸ ＭＩＭＯプロセッサ１３２０は、データストリームのシンボルに、および、シンボルが送信されているアンテナに、ビームフォーミング重みを適用する。
【００６３】
各トランシーバ１３２２ａ−１３２２ｔは、それぞれのシンボルストリームを受け取り、処理して、１つ以上のアナログ信号を提供し、アナログ信号をさらに調整（例えば、増幅、フィルタリング、およびアップコンバート）し、ＭＩＭＯチャネルを通した送信に適した変調信号を提供する。トランシーバ１３２２ａ−１３２２ｔからのＮT個の変調信号が、その後、それぞれ、ＮT本のアンテナ１３２４ａ−１３２４ｔから送信される。
【００６４】
デバイス１３５０において、変調され送信された信号が、ＮR本のアンテナ１３５２ａ−１３５２ｒによって受信され、各１３５２ａ−１３５２ｒからの受信信号が、それぞれのトランシーバ（“ＸＣＶＲ”）１３５４ａ−１３５４ｒに提供される。各トランシーバ１３５４ａ−１３５４ｒは、それぞれの受信信号を調整（例えば、フィルタリング、増幅、およびダウンコンバート）し、調整した信号をデジタル化して、サンプルを提供し、そのサンプルをさらに処理して、対応する“受信”シンボルストリームを提供する。
【００６５】
受信（“ＲＸ”）データプロセッサ１３６０は、その後、特定の受信機処理技術に基づいて、ＮR個のトランシーバ１３５４ａ−１３５４ｒからのＮR個の受信したシンボルストリームを受け取って処理し、ＮT個の“検出した”シンボルストリームを提供する。ＲＸデータプロセッサ１３６０は、その後、各検出したシンボルストリームを復調し、デインターリーブし、デコードして、データストリームに対するトラフィックデータを復元させる。ＲＸデータプロセッサ１３６０による処理は、デバイス１３１０における、ＴＸ ＭＩＭＯプロセッサ１３２０およびＴＸデータプロセッサ１３１４によって実行される処理に対して相補的である。
【００６６】
プロセッサ１３７０は、どのプリコーディング行列を使用するかを周期的に決定する。プロセッサ１３７０は、行列インデックス部分とランク値部分とを含む、リバースリンクメッセージを構築する。データメモリ１３７２は、デバイス１３５０の、プロセッサ１３７０または他のコンポーネントによって使用される、プログラムコード、データおよび他の情報を記憶してもよい。
【００６７】
リバースリンクメッセージは、通信リンクおよび／または受信データストリームに関する様々なタイプの情報を含んでいてもよい。リバースリンクメッセージは、その後、ＴＸデータプロセッサ１３３８によって処理される。ＴＸデータプロセッサ１３３８はまた、多数のデータストリームに対するトラフィックデータをデータソース１３３６から受け取り、これは、変調器１３８０によって変調され、トランシーバ１３５４ａ−１３５４ｒによって調整され、デバイス１３１０に返信される。
【００６８】
デバイス１３１０において、デバイス１３５０により送信されたリバースリンクメッセージを抽出するために、デバイス１３５０からの変調信号は、アンテナ１３２４ａ−１３２４ｔによって受信され、トランシーバ１３２２ａ−１３２２ｔによって調整され、復調器（“ＤＥＭＯＤ”）１３４０によって復調され、ＲＸデータプロセッサ１３４２によって処理される。プロセッサ１３３０は、その後、ビームフォーミング重みを決定するために、どのプリコーディング行列を使用するかを決定して、その後、抽出したメッセージを処理する。
【００６９】
図１３は、通信コンポーネントが、干渉制御動作を実行する１つ以上のコンポーネントを備えていてもよいことも図示している。例えば、干渉（“ＩＮＴＥＲ”）制御コンポーネント１３９０は、別のデバイス（例えば、デバイス１３５０）に／から信号を送信／受信するために、デバイス１３１０の、プロセッサ１３３０および／または他のコンポーネントと協働してもよい。同様に、干渉制御コンポーネント１３９２は、別のデバイス（例えば、デバイス１３１０）に／から信号を送信／受信するために、デバイス１３５０の、プロセッサ１３７０および／または他のコンポーネントと協働してもよい。各デバイス１３１０および１３５０に対して、記述したコンポーネントのうちの２つ以上の機能が単一のコンポーネントによって提供されてもよいことを正しく認識すべきである。例えば、単一の処理コンポーネントは、干渉制御コンポーネント１３９０およびプロセッサ１３３０の機能を提供してもよく、単一の処理コンポーネントは、干渉制御コンポーネント１３９２およびプロセッサ１３７０の機能を提供してもよい。
【００７０】
ワイヤレスデバイス１３１０（例えば、アクセスポイント）およびワイヤレスデバイス１３５０（例えば、アクセス端末）は、（示されていない）ｅＨＲＰＤネットワークへの前述した選択的事前登録を実行するために、事前登録コンポーネント１３５０、１３５２をそれぞれ組み込むことができる。
【００７１】
図１４では、進化したユニバーサル地上無線アクセスネットワーク（Ｅ−ＵＴＲＡＮ）／進化したパケットコア（ＥＰＣ）１４０２（すなわち、ＧＳＭ（登録商標）（グローバルシステムフォーモバイル通信）またはＷＣＤＭＡ（ワイドバンドコード分割多元接続（登録商標））と、カバレッジをＵＥ１４０６として描写されている移動体デバイスに提供する３ＧＰＰ２ネットワーク１４０４とともに、通信システム１４００が描写されている。第３世代パートナーシッププロジェクト２（３ＧＰＰ２）は、ＩＴＵのＩＭＴ−２０００プロジェクトの範囲内で、グローバルに適用可能な第３世代（３Ｇ）移動体電話機システム仕様を作るための電気通信協会の間の協働である。実際には、３ＧＰＰ２は、ＣＤＭＡ２０００向けの標準化グループ、すなわち前の２Ｇ  ＣＤＭＡ技術に基づく３Ｇ標準規格のセットである。ユニバーサル移動体電気通信システム（ＵＭＴＳ）として知られている別の３Ｇ技術のための標準規格を特定している３ＧＰＰと、３ＧＰＰ２を混同すべきではない。
【００７２】
ＬＴＥ技術は、ＷＣＤＭＡおよびＣＤＭＡ２０００を含む３Ｇシステムの革命的なアップグレードである。２Ｇ／３ＧシステムからＬＴＥへの発展経路は、既存のネットワークを低コストで移動するために、基本的に、システム間のインターワーキングおよびシームレスハンドオーバーを実現することによるものである。システムアーキテクチャ進化（ａｋａＳＡＥ）は、３ＧＰＰのＬＴＥワイヤレス通信標準規格のコアネットワークアーキテクチャである。ＳＡＥは、汎用パケット無線サービス（ＧＰＲＳ）コアネットワークの進化であり、いくつかの違い：（１）簡略化されたアーキテクチャ；（２）すべてのインターネットプロトコルネットワーク（ＡＩＰＮ）；ならびに（３）より高いスループットおよびより低いレイテンシー無線アクセスネットワーク（ＲＡＮ）に対するサポート、ＧＰＲＳのようなレガシーシステムを含むが、非３ＧＰＰシステム（例えば、ＷｉＭＡＸ）も含む、複数のヘテロジニアスＲＡＮに対するサポート、および、間のモビリティがある。
【００７３】
ＬＴＥ向けの進化したＲＡＮは、単一ノード、すなわち、ＵＥ１４０６とインターフェースする進化した基地ノード（“ｅＮｏｄｅＢ”すなわち“ｅＮＢ”）からなる。ｅＮＢは、Ｅ−ＵＴＲＡＮ／ＥＰＣ１４０２向けのＥ−ＵＴＲＡＮ１４０８として描写されている。ｅＮＢは、物理（ＰＨＹ）、媒体アクセス制御（ＭＡＣ）、無線リンク制御（ＲＬＣ）、パケットデータ制御プロトコル（ＰＤＣＰ）のレイヤーをホスト管理する。これらのレイヤーは、ユーザプレーンのヘッダ圧縮および暗号化の機能を備えている。ｅＮＢは、制御プレーンに対応する無線リソース制御（ＲＲＣ）機能も提供する。ｅＮＢは、無線リソース管理、アドミッション制御、スケジューリング、ネゴシエートされたアップリンク（ＵＬ）サービス品質（ＱｏＳ）の実施、セル情報のブロードキャスト、ユーザおよび制御プレーンのデータの暗号化／解読、およびダウンリンク／アップリンク（ＤＬ／ＵＬ）ユーザプレーンパケットヘッダの圧縮／展開を含む、多くの機能を実行する。
【００７４】
全体的に、ＵＥ１４０６への無線アクセスのための、３つの異なる無線アクセス技術（ＲＡＴ）が描写されている。Ｅ−ＵＴＲＡＮ１４０８は、ＵＥ１４０６へのＵｕ外部無線インターフェース（論理インターフェース）を持つ。３ＧＰＰ２ネットワーク１４０４上では、ＨＲＰＤＢ基地トランシーバシステム（ＢＴＳ）１４１０および１ｘＲＴＴ（無線送信技術）ＢＴＳ１４１２の両方とも、ＵＥ１４０６へのＵｍ外部無線インターフェースを持つことができる。例は、３ＧＰＰシステムのためのＵＥ１４０６へのＵｕまたはＵｍ、および、３ＧＰＰ２システム（すなわち、ＣＤＭＡ）のためのＵｍである。ＵＥ１４０６への外部インターフェースは、エアインターフェース１４１４を通して、ユーザデータおよびシグナリングデータを移送する。
【００７５】
ＳＡＥアーキテクチャの主なコンポーネントは、ＳＡＥコアとしても知られているＥＰＣ１４１５である。ＥＰＣ１４１５は、モビリティ管理エンティティ（ＭＭＥ）１４１６、サービングゲートウェイ（ＳＧＷ）１４１８およびＰＤＮゲートウェイ（ＰＧＷ）１４２０のサブコンポーネントを通して、ＧＰＲＳネットワークの均等物として機能する。
【００７６】
ＭＭＥ１４１６は、Ｅ−ＵＴＲＡＮ１４０８として描写されているＬＴＥアクセス−ネットワークのための重要な制御ノードである。ＭＭＥ１４１６は、再送信を含む、アイドルモードでのＵＥ追跡およびページング手順に関与する。ＭＭＥ１４１６は、ベアラアクティブ化／非アクティブ化プロセスに関わり、初期アタッチにおいて、および、コアネットワーク（ＣＮ）ノードの再配置を含むＬＴＥ内のハンドオーバーの時間において、ＵＥ１４０６のためのＳＧＷ１４１８を選ぶことにも関与する。ＭＭＥ１４１６は、（ホーム加入者サーバ（ＨＳＳ）と対話することによって）ユーザを認証することにも関与する。非アクセスストラタム（ＮＡＳ）シグナリングは、ＭＭＥ１４１６において終了し、ＵＥ１４０６への一時的な識別子の発生および割り振りにも関与する。非アクセスストラタム（ＮＡＳ）シグナリングは、サービスプロバイダの公衆地上移動体ネットワーク（ＰＬＭＮ）上でキャンプするためにＵＥ１４０６の認証をチェックして、ＵＥローミング制約を実施する。ＭＭＥ１４１６は、ＮＡＳシグナリングに対する暗号化／インテグリティの保護のための、ネットワークにおける終端点であり、セキュリティキー管理を扱う。シグナリングの合法な傍受も、ＭＭＥ１４１６によってサポートされる。ＭＭＥ１４１６は、（描写されていない）サービングＧＰＲＳサポートノード（ＳＧＳＮ）から、ＭＭＥ１４１６において終了するＳ３インターフェースを、ＬＴＥと２Ｇ／３Ｇアクセスネットワークとの間のモビリティに対する制御プレーン機能に提供する。）ＭＭＥ１４１６は、ＵＥをローミングするために、ホーム加入者サーバ（ＨＳＳ）１４２２に向けたＳ６ａインターフェースも終了する。
【００７７】
ＳＧＷ１４１８は、ｅノードＢ間のハンドオーバーの間にはユーザプレーンに対するモビリティアンカーとして、および、ＬＴＥと（Ｓ４インターフェースを終了し、２Ｇ／３ＧシステムとＰＧＷとの間でのトラフィックを中継する）他の３ＧＰＰ技術との間のモビリティに対するアンカーとして機能しつつも、ユーザデータパケットをルーティングおよび転送する。アイドル状態のＵＥ１４０６のために、ＳＧＷ１４１８は、ダウンリンク（ＤＬ）データが、ＵＥ１４０６に到着するときに、ＤＬデータパスを終了し、ページングをトリガする。ＳＧＷ１４１８は、ＵＥコンテキスト、例えば、インターネットプロトコル（ＩＰ）ベアラサービスのパラメータ、ネットワーク内ルーティング情報を管理および記憶する。ＳＧＷ１４１８は、合法的な傍受のケースでは、ユーザトラフィックのレプリケーションも実行する。
【００７８】
ＰＧＷ１４２０は、ＵＥ１４０６に対するトラフィックの出入り地点であることによって、ＵＥ１４０６から、例えば、ＩＰマルチメディアサブシステム（ＩＭＳ）、パケット交換サービス（ＰＳＳ）等のような、オペレータのＩＰサービス１４２４として描写されている外部パケットデータネットワークへの接続性を提供する。ＵＥ１４０６は、複数のＰＤＮにアクセスするために、１つよりも多いＰＧＷ１４２０との同時接続性を持っていてもよい。ＰＧＷ１４２０は、ポリシー実施、各ユーザに対するパケットフィルタリング、充電サポート、合法的な傍受およびパケットスクリーニングを実行する。ＰＧＷ１４２０の別の重要な役割は、ＷｉＭＡＸおよび３ＧＰＰ２（ＣＤＭＡ１ＸおよびＥｖＤＯ）のような、３ＧＰＰと非３ＧＰＰ技術との間のモビリティに対するアンカーとして機能することである。
【００７９】
ここでは、さもなければ３ＧＰＰロングタームエボリューション（ＬＴＥ）と呼ばれる進化したパケットシステム（ＥＰＳ）の重要な特徴は、それらの間で良く規定されているオープンインターフェース（Ｓ１１）による、ベアラプレーン機能（ＳＧＷ１４１８）を実行するネットワークエンティティからの、制御プレーン機能（ＭＭＥ１４１６）を実行するネットワークエンティティの分離である。Ｅ−ＵＴＲＡＮ１４０８は、新しいサービスを可能にするとともに既存のサービスを改善させるように、より大きな帯域幅を提供するので、ＳＧＷ１４１８からのＭＭＥ１４１６の分離は、ＳＧＷ１４１８が、高い帯域幅パケット処理のために最適化されたプラットフォームに基づくことができる一方で、ＭＭＥ１４１６は、シグナリング取引のために最適化されたプラットフォームに基づいていることを意味する。これにより、これら２つのエレメントのそれぞれに対してコスト効率がより良いプラットフォームの選択が可能になるとともに、これらの２つのエレメントのそれぞれから独立しているスケーリングが可能になる。サービスプロバイダは、帯域幅を最適化するために、レイテンシーを減少させるために、および、失敗が集中した地点を回避するために、ＭＭＥ１４１６の位置とは無関係に、ネットワーク内のＳＧＷ１４１８の最適化されたトポロジーの位置も選ぶことができる。
【００８０】
アプリケーション機能（ＡＦ）は、トラフィックプレーンリソース（例えば、ＵＭＴＳパケット交換（ＰＳ）領域／ＧＰＲＳ領域リソース）のポリシーおよび充電制御を要求するアプリケーションを提供するエレメントである。ＡＦは、オペレータのＩＰサービス１４２４として描写されている。アプリケーション機能の１つの例は、ポリシー制御および充電ルール機能（ＰＣＲＦ）１４２６である。ＡＦは、Ｒｘ基準点を使用して、セッション情報をＰＣＲＦ１４２６に提供できる。ＰＣＲＦ１４２６は、ポリシー制御決定およびフローベースの充電制御機能を含む機能エレメントである。ＰＣＲＦ１４２６は、（示されていない）ポリシーおよび充電実施機能（ＰＣＥＦ）に向けての、サービスデータフロー検出、ゲーティング、（クレジット管理を除く）ＱｏＳおよびフローベースの充電に関するネットワーク制御を提供する。ＰＣＲＦは、セッションおよびメディア関連情報をＡＦから受け取り、トラフィックプレーンイベントをＡＦに通知する。ＡＦによって提供されるサービス情報が、サービス情報を記憶する前にオペレータによって規定されたルール）と一致していることを、ＰＣＲＦ１４２６がチェックしてもよい。サービス情報は、サービスに対するＱｏｓを得るために使用されるものとする。ＰＣＲＦ１４２６は、ＡＦから受け取った要求を拒否してもよく、結果として、ＰＣＲＦ１４２６は、ＡＦに応答して、ＰＣＲＦ１４２６によって受け入れることができるサービス情報を示す。ＰＣＲＦ１４２６は、ポリシーおよび充電制御決定をベースとして加入情報を使用してもよい。加入情報は、セッションベースサービス、および、非セッションベースサービスの両方に適用してもよい。各サービスについての加入特有情報は、例えば、最大ＱｏＳクラス及び最大ビットレートを含んでいてもよい。ＡＦがそれを要求する場合、ＰＣＲＦ１４２６は、Ｒｘ基準点を通して、（ベアライベントおよびＡＦシグナリング移送の際のイベントを含む）ＩＰ−ＣＡＮ（インターネットプロトコル接続性アクセスネットワーク）セッションイベントをＡＦに報告する。
【００８１】
Ａ３ＧＰＰ認証、認可、課金（ＡＡＡ）サーバ１４２８は、Ｓ６ｃを通してＰＧＷ１４２０に、そして、ＳＷｘインターフェースを通してＨＳＳ１４２２にインターフェースされる。
【００８２】
Ｓ１−ＭＭＥは、Ｅ−ＵＴＲＡＮ１４０８とＭＭＥ１４１６との間の制御プレーンプロトコルのための基準点である。この基準点を通してのプロトコルは、進化した無線アクセスネットワークアプリケーションプロトコル（ｅＲＡＮＡＰ）であり、それは移送プロトコルとしてストリーム制御送信プロトコル（ＳＣＴＰ）を使用する。
【００８３】
Ｓ１−Ｕ基準点は、ベアラごとのユーザプレーンのトンネリングおよびハンドオーバーの間のｅＮＢ間のパス切り替えのための、Ｅ−ＵＴＲＡＮ１４０８とＳＧＷ１４１８との間の基準点である。このインターフェースを通しての移送プロトコルは、ＧＰＲＳトンネリングプロトコル−ユーザプレーン（ＧＴＰ−Ｕ）である。
【００８４】
Ｓ２ａは、信頼性のある非３ＧＰＰ ＩＰアクセスとＳＧＷ１４１８との間の関連制御およびモビリティサポートをユーザプレーンに提供する。Ｓ２ａは、プロキシモバイルインターネットプロトコル（ＰＭＩＰ）に基づいている。ＰＭＩＰをサポートしない信頼性のある非３ＧＰＰ ＩＰアクセスを通してアクセスを可能にするために、Ｓ２ａは、クライアント移動体インターネットプロトコルバージョン４（ＩＰｖ４）外国エージェント（ＦＡ）モードもサポートする。
【００８５】
Ｓ２ｂは、進化したパケットデータゲートウェイ（ｅＰＤＧ）とＰＤＮ ＧＷとの間の関連制御およびモビリティサポートをユーザプレーンに提供する。Ｓ２ｂは、ＰＭＩＰに基づいている。
【００８６】
Ｓ２ｃは、ＵＥとＰＤＮ ＧＷとの間の関連制御およびモビリティサポートをユーザプレーンに提供する。この基準点は、信頼性のあるおよび／または信頼性のない非３ＧＰＰアクセスおよび／または３ＧＰＰアクセスを通して実現される。このプロトコルは、クライアント移動体ＩＰ共通配置モード（Client Mobile IP co-located mode）に基づいている。  Ｓ３は、（示されていない）ＳＧＳＮとＭＭＥ１４１６との間のインターフェースであり、Ｓ３は、アイドルまたはアクティブ状態での、３ＧＰＰ間のアクセスネットワークモビリティについてのユーザおよびベアラ情報の交換を可能にする。Ｓ３は、ＳＧＳＮ間で規定されているような、Ｇｎ基準点に基づいている。
【００８７】
Ｓ４は、ＳＧＳＮとＳＧＷ１４１８との間で、関連する制御およびモビリティサポートをユーザプレーンに提供し、ＳＧＳＮと（示されていない）ゲートウェイＧＰＲＳサポートノード（ＧＧＳＮ）との間で規定されているようなＧｎ基準点に基づいている。
【００８８】
Ｓ５は、ＳＧＷ１４１８とＰＧＷ１４２０との間で、ユーザプレーントンネリングおよびトンネル管理を提供する。ＵＥモビリティに起因して、および、ＳＧＷが、必要とされるＰＤＮ接続性のために、非共通配置の（non-collocated）ＰＤＮ ＧＷに接続する必要がある場合に、Ｓ５は、ＳＧＷの再配置のために使用される。
【００８９】
Ｓ６は、ＭＭＥ１４１６とＨＳＳ１４２２との間で、進化したシステム（ＡＡＡインターフェース）へのユーザアクセスを認証／認可するための、加入および認証データの転送を可能にする。
【００９０】
Ｓ７は、ＰＧＷ１４２０において、ポリシーおよび充電ルール機能（ＰＣＲＦ）１４２６から、ＰＧＷ１４２０におけるポリシーおよび充電実施機能（ＰＣＥＦ）への、（ＱｏＳ）ポリシーおよび充電ルールの転送を提供する。このインターフェースは、Ｇｘインターフェースに基づいている。
【００９１】
Ｓ１０は、ＭＭＥの再配置およびＭＭＥ間のＭＭＥ情報転送のための、ＭＭＥ１４１６間の基準点である。
【００９２】
Ｓ１１は、ＭＭＥ１４１６とＳＧＷ１４１８との間の基準点である。
【００９３】
ＳＧｉは、ＰＧＷ１４２０とパケットデータネットワーク１４２８との間の基準点である。
【００９４】
パケットデータネットワーク（ＰＤＮ）１４２８は、例えば、ＩＭＳサービスの提供のための、オペレータ外部の公衆または構内パケットデータネットワーク、あるいは、オペレータ内部のパケットデータネットワークであってもよい。この基準点は、２Ｇ／３ＧアクセスＲｘ＋のために、Ｇｉに対応している。Ｒｘ基準点は、適用機能とＰＣＲＦ１４２６との間に存在している。
【００９５】
ＨＲＰＤ ＢＴＳ１４１０および１ｘＲＴＴ ＢＴＳ１４１２に加えて、ＨＳＧＷ１４３０と、進化したＨＲＰＤアクセスネットワーク／パケット制御機能（ｅＡＮ／ＰＣＦ）１４３２と、３ＧＰＰ２ ＡＡサーバ／プロキシ１４３４、アクセスノード（ＡＮ）−ＡＡＡ １４３６と、ＡＮ／ＰＣＦ１４３８と、パケットデータサービングノード（ＰＤＳＮ）１４４０と、基地局制御装置（ＢＳＣ）／ＰＣＦ１４４２とを含むとして、３ＧＰＰ２ネットワーク１４０４が描写されている。
【００９６】
アーキテクチャでは、ＣＤＭＡ２０００ ＨＲＰＤとＬＴＥとの間でインターワーキングを実現するために、Ｓ１０１、１０３およびＳ２ａを含む、いくつかの新しいインターフェースが導入される。ＬＴＥのシステムアーキテクチャに対応して、パケットデータサービングノード（ＰＤＳＮ）が、ＨＳＧＷ１４３０とＰＧＷ１４２０とに分けられる一方で、３つの新しいインターフェースをサポートするために、アクセスネットワーク／パケット制御機能（ＡＮ／ＰＣＦ）１４３８をｅＡＮ／ＰＣＦ１４３２に増強する。ＨＲＰＤは、ここで、進化したＨＲＰＤ（ｅＨＲＰＤ）と呼ばれる。
【００９７】
Ｅ−ＵＴＲＡＮおよび３ＧＰＰ２ ｅＨＲＰＤネットワークアーキテクチャは、以下のインターフェースを含む。
【００９８】
Ｓ１０１基準点は、３ＧＰＰ ＥＰＣ１４１５におけるＭＭＥ１４１６と、３ＧＰＰ２（ｅＨＲＰＤ）１４０４におけるｅＡＮ／ＰＣＦ１４３２との間でシグナリングインターフェースを提供する。このＳ１０１基準点は、ソース／サービングアクセスネットワークを通して、ＵＥ１４０６とターゲットアクセスネットワークとの間で、シグナリングおよびデータのトンネリングを提供する。これは、ＵＥ１４０６が、ＬＴＥシステムを通してＨＲＰＤエアインターフェースシグナリングをトンネリングして、事前登録を行い、実際のハンドオーバーより前に、ターゲットシステムとハンドオーバーシグナリングメッセージを交換することを可能にする。したがって、２つのシステム間で、シームレスかつ迅速なハンドオーバーを実現する。
【００９９】
Ｓ１０３基準点は、ＥＰＣサービングゲートウェイ（ＳＧＷ）１４１８とＨＳＧＷ１４３０との間のベアラインターフェースであり、ベアラインターフェースは、ダウンリンクデータを転送するために使用され、ＬＴＥからＨＲＰＤへの転送の間のパケット損失を最小にする。Ｓ１０３基準点は、３ＧＰＰ ＥＰＣ １４１５におけるＰＧＷ１４２０を、３ＧＰＰ２ ｅＨＲＰＤネットワーク１４０４におけるＨＳＧＷ１４３０に接続させる。
【０１００】
Ｅ−ＵＴＲＡＮ／ＥＰＣ１４０２と３ＧＰＰ２ ｅＨＲＰＤネットワーク１４０４との間のインターワーキングでは、以下の基準点が規定される。
【０１０１】
Ｈ１基準点は、最適化されたＨＳＧＷ間のハンドオフのために、ソースＨＳＧＷ（Ｓ−ＨＳＧＷ）およびターゲットＨＳＧＷ（Ｔ−ＨＳＧＷ）との間でシグナリング情報を運ぶ。
【０１０２】
Ｈ２基準点は、最適化されたＨＳＧＷ間のハンドオフのために、ソースＨＳＧＷ（Ｓ−ＨＳＧＷ）とターゲットＨＳＧＷ（Ｔ−ＨＳＧＷ）との間でユーザトラフィックを運ぶ。
【０１０３】
Ｇｘａ基準点は、３ＧＰＰ２ ｅＨＲＰＤネットワーク１４０４において、３ＧＰＰ ＥＰＣ１４１５におけるＰＣＲＦ１４２６を、ＨＳＧＷ１４３０におけるベアラバインディングおよびイベント報告機能（ＢＢＥＲＦ）に接続する。
【０１０４】
Ｐｉ*基準点は、ＨＳＧＷ１４３０を３ＧＰＰ２ ＡＡＡサーバ／プロキシ１４３４に接続する。
【０１０５】
Ｓ２ａ基準点は、３ＧＰＰ ＥＰＣ１４１５におけるＰＧＷ１４２０を、３ＧＰＰ２ ｅＨＲＰＤネットワーク１４０４におけるＨＳＧＷ１４３０に接続する。この基準点は、ｅＨＲＰＤネットワーク１４０４とＰＧＷ１４２０との間の関連制御およびモビリティサポートをユーザプレーンに提供する。Ｓ２ａは、信頼性のある非３ＧＰＰ ＩＰアクセス（例えば、ＷｉＭＡＸアクセスネットワーク）と３ＧＰＰコアネットワーク（ＰＧＷ１４２０）との間の関連制御およびモビリティサポートをユーザプレーンに提供する。Ｓ２ａは、移動体アクセスゲートウェイとパケットデータゲートウェイとの間で規定されている。モバイルＩＰｖ４がＳ２ａプロトコルとして使用されるケースでは、この基準点のＷｉＭＡＸ側が、ＭＩＰｖ４外国エージェント機能によって終了される。
【０１０６】
Ｓ６ｂは、必要であるならば、モビリティ関連認証のための、ＰＧＷ１４２０と３ＧＰＰ ＡＡＡサーバ／プロキシ１４３４との間の基準点である。Ｓ６ｂは、モビリティパラメータの記憶を取り出すために、および、要求するためにも使用してもよい。動的ポリシーおよび充電制御（ＰＣＣ）がサポートされていないケースでは、この基準点はまた、非３ＧＰＰアクセスのために、ＵＥに対する静的なＱｏＳプロファイルを取り出すためにも使用されてもよい。Ｇｘは、ＰＧＷ１４２０における、ＰＣＲＦ１４２６からポリシーおよび充電実施機能（ＰＣＥＦ）への、ＱｏＳポリシーおよび充電ルールの転送を提供する。Ｇｘａは、ＰＣＲＦ１４２６から、信頼性のある非３ＧＰＰアクセス（例えば、アクセスサービスネットワーク（ＡＳＮ）ゲートウェイ（ＧＷ））への、ＱｏＳポリシー情報の転送を提供する。Ｇｘｃは、ＰＣＲＦ１４２６からＳＧＷ１４１８への、ＱｏＳポリシー情報の転送を提供する。
【０１０７】
ＡＮ−ＡＡＡ１４３６は、アクセスネットワーク（ＡＮ）中で（示されていない）無線ネットワーク制御装置（ＲＮＣ）と通信し、これにより、ＡＮ１４３２、１４３８において、認証および認可機能を実行することが可能になる。ＡＮ１４３２、１４３８とＡＮ−ＡＡＡ１４３６と間のインターフェースは、Ａ１２インターフェースとして知られている。
【０１０８】
ＨＳＧＷ１４３０は、シームレスモビリティ、ＬＴＥとＨＲＰＤとの間のポリシーおよび充電制御（ＰＣＣ）およびローミングを含む、ＵＥ１４０６と３ＧＰＰＥＰＳアーキテクチャとの間の相互接続を提供する。ＨＳＧＷ１４３０は、ｅＡＮ／ＰＣＦ１４３２からのｅＨＲＰＤアクセスネットワークインターフェース（すなわち、Ａ１０／Ａ１１インターフェース）を終了するエンティティである。ＨＳＧＷ１４３０は、ＵＥ発信型またはＵＥ終端型パケットデータトラフィックをルーティングする。ＨＳＧＷ１４３０は、ＵＥ１４０６に対するリンクレイヤセッションも確立、維持、および終了する。ＨＳＧＷ機能は、３ＧＰＰＥＰＳアーキテクチャおよびプロトコルをＵＥ１４０６のインターワーキングに提供する。これは、モビリティ、ポリシー制御および充電（ＰＣＣ）、アクセス認証，およびローミングに対するサポートを含む。ＨＳＧＷ１４３０は、Ｓ２ａ（プロキシモバイルインターネットプロトコルバージョン６（ＰＭＩＰｖ６））を使用して、ＨＳＧＷ間のハンドオフをもサポートする。ＨＳＧＷ１４３０は、コンテキスト転送によりＨＳＧＷ間のハンドオフをサポートする。ＨＳＧＷ１４３０は、コンテキスト転送せずにＨＳＧＷ間のハンドオフを使用してもよい。
【０１０９】
ｅＡＮ／ＰＣＦ１４３２は、Ｓ１０１を通して、ＨＲＰＤエアインターフェースシグナリングのトンネリングをサポートする。エンハンスドＡＮ／ＰＣＦソリューションは、シグナリング適応プロトコル（ＳＡＰ）を接続レイヤー中に追加する。
【０１１０】
Ａ１０／Ａ１１インターフェースは、基地局システム−基地局制御装置（ＢＳＳ−ＢＣＦ）Ａ１０接続を維持するために、ＰＣＦとＰＤＳＮ１４４０との間の、シグナリングおよびデータの送信を担持する。Ａ１０インターフェースがデータを担持する一方で、Ａ１１インターフェースはシグナリングを担持する。
【０１１１】
Ａｂｉｓインターフェースは、（示されていない）ＢＳＣとＢＴＳ１４１０、１４１２との間のインターフェースのためにＡｂｉｓプロトコルを使用する。Ａｂｉｓインターフェースは、アプリケーションレイヤ上の２つの部分：制御部分（Ａｂｉｓｃ）およびトラフィック部分（Ａｂｉｓｔ）からなり、前者は、Ｕｍインターフェース制御チャネルシグナリングを変換し、後者は、トラフィックチャネルによる制御を変換する。
【０１１２】
ＵＥ１４０６およびＥＵＴＲＡＮ１４０８は、３ＧＰＰ２ ＨＲＰＤネットワーク１４０４への、前述した選択的事前登録を実行するために、事前登録コンポーネント１４５０、１４５２をそれぞれ組み込むことができる。
【０１１３】
ここで開示した態様に関連して記述した、さまざまな例示的な論理ブロック、モジュール、回路、およびアルゴリズムステップは、電子ハードウェア、コンピュータソフトウェア、または双方を組み合わせたものとして実現してもよいことを、当業者はさらに正しく認識するだろう。ハードウェアおよびソフトウェアのこの互換性を明確に図示するために、さまざまな例示的なコンポーネント、ブロック、モジュール、回路、およびステップを、これらの機能の観点に関して上記で概して記述している。このような機能が、ハードウェアまたはソフトウェアとして実現されるか否かは、システム全体に課せられている、特定のアプリケーションおよび設計制約に依存する。熟練者は、各特定のアプリケーションの方法を変えて、記述した機能を実現するかもしれないが、このようなインプリメンテーションの決定は、本開示の範囲から逸脱が生じるとして解釈されるべきでない。
【０１１４】
さらに、移動体デバイスに関連して、さまざまな態様をここで説明する。移動体デバイスは、システム、加入者ユニット、加入者局、移動局、移動体、移動体デバイス、セルラデバイス、マルチモードデバイス、遠隔局、遠隔端末、アクセス端末、ユーザ端末、ユーザエージェント、ユーザデバイス、またはユーザ機器とも呼ばれることがあり、あるいは、これらに類するものでも呼ばれることがある。加入者局は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、あるいは、処理デバイスとのワイヤレス通信を促進する類似したメカニズムとすることができる。
【０１１５】
本出願中で使用するような、用語“コンポーネント”、“モジュール”、“システム”、および、これらに類するものは、ハードウェアや、ハードウェアとソフトウェアの組み合わせや、ソフトウェアや、または、実行中のソフトウェアのいずれかである、コンピュータ関連エンティティのことを指すことを意図している。例えば、コンポーネントは、プロセッサ上で実行しているプロセス、プロセッサ、オブジェクト、実行可能ファイル、実行のスレッド、プログラム、および／またはコンピュータであってもよいが、これらに限定されない。例として、サーバ上で動作しているアプリケーションおよびサーバの双方をコンポーネントとすることができる。１つ以上のコンポーネントは、実行のプロセスおよび／またはスレッド内に存在してもよく、コンポーネントは、１つのコンピュータ上で局所化、および／または、２つ以上のコンピュータ間で分散させてもよい。
【０１１６】
“例として、事例として、あるいは実例として機能すること”を意味するために、“例示的な”という用語をここで使用する。“例示的な”ものとして、ここで記述した、いずれの態様または設計も、他の態様または設計と比較して、必ずしも好ましいものとして、または、効果的なものとして解釈すべきではない。
【０１１７】
多数のコンポーネント、モジュール、および、これらに類するものを含んでいてもよいシステムの観点から、さまざまな態様が提示される。さまざまなシステムは、追加のコンポーネント、モジュール等を含んでもよく、および／または、図面に関連して説明した、コンポーネント、モジュール等のすべてを含まなくてもよいことを理解し、正しく認識すべきである。これらのアプローチを組み合わせたものも、使用してもよい。ここで開示したさまざまな態様は、タッチスクリーンディスプレイ技術ならびに／あるいはマウスおよびキーボードタイプのインターフェースを利用するデバイスを含む電気的デバイス上で実行できる。このようなデバイスの例は、コンピュータ（デスクトップおよび移動体）、スマートフォン、パーソナルデジタルアシスタント（ＰＤＡ）、および、ワイヤードおよびワイヤレスである他の電気デバイスを含む。
【０１１８】
付加的に、ここで開示した態様に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されたこれらの任意の組み合わせで実現されるか、あるいは、実行されてもよい。汎用プロセッサは、マイクロプロセッサであってもよいが、代替実施形態では、プロセッサは、何らかの従来のプロセッサ、制御装置、マイクロ制御装置、または状態機械であってもよい。プロセッサはまた、例えば、ＤＳＰとマイクロプロセッサとを組み合わせたもののような、コンピューティングデバイスを組み合わせたものとして、例えば、複数のマイクロプロセッサとして、ＤＳＰコアに関連した１つ以上のマイクロプロセッサとして、あるいは、このような他の何らかの構成として実現されてもよい。
【０１１９】
さらに、請求項に記載した主題事項の態様は、ソフトウェア、ファームウェア、ハードウェア、またはこれらの任意のものを組み合わせたものを生成させて、コンピュータまたはコンピューティングコンポーネントを制御して、請求項に記載した主題事項のさまざまな態様を実現するための、標準プログラミングおよび／またはエンジニアリング技術を使用している方法、装置または、製造物として実現されてもよい。ここで用いる“製造物”（または代替的に、“コンピュータプログラムプロダクト”）という用語は、何らかのコンピュータ読み取り可能デバイス、キャリア、または媒体からアクセス可能なコンピュータプログラムを含むことを意図している。例えば、コンピュータ読み取り可能媒体は、磁気記憶デバイス（例えば、ハードディスク、フロッピー（登録商標）ディスク、磁気ストライプ．．．）や、光ディスク（例えば、コンパクトディスク（ＣＤ）、デジタル汎用性ディスク（ＤＶＤ）．．．）や、スマートカードや、フラッシュメモリデバイス（例えば、カード、スティック）を含むことができるが、これらに限定されない。付加的に、電子メールを送信および受信する際に、または、インターネットまたはローカルエリアネットワーク（ＬＡＮ）のようなネットワークにアクセスする際に使用されるような、コンピュータ読み取り可能な電子データを伝えるために搬送波を使用できることを正しく認識すべきである。もちろん、当業者は、開示した態様の範囲から逸脱することなく、この構成に対して多くの変更が行われてもよいことを認識するだろう。
【０１２０】
ここでの開示した態様に関連して記述した、方法またはアルゴリズムのステップは、ハードウェアで、プロセッサによって実行されるソフトウェアモジュールで、または、２つのものを組み合わせたもので直接的に具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている記憶媒体の他の何らかの形態で存在していてもよい。例示的な記憶媒体は、プロセッサが記憶媒体から情報を読み取り、記憶媒体に情報を書き込むことができるように、プロセッサに結合されている。代替実施形態では、記憶媒体はプロセッサと一体化してもよい。プロセッサおよび記憶媒体は、ＡＳＩＣに存在してもよい。ＡＳＩＣは、ユーザ端末に存在してもよい。代替実施形態では、プロセッサおよび記憶媒体は、ユーザ端末中にディスクリートコンポーネントとして存在していてもよい。
【０１２１】
開示した態様のこれまでの説明は、当業者が本開示を製作または使用できるように提供した。これらの態様に対するさまざま改良は当業者に容易に明らかとなり、ここに定義された一般的な原理は、本開示の精神または範囲から逸脱することなく、他の実施形態に適用されてもよい。したがって、本開示は、ここに記述した実施形態に限定されることを意図しているものではないが、ここで開示した、原理および新規な特徴と矛盾しない最も広範囲に一致させるべきである。
【０１２２】
上述した例示的なシステムを考慮して、開示した主題事項にしたがって実現されてもよい方法論は、様々なフローチャートを参照して記述されていることをより良く正しく認識されるだろう。説明の簡潔性の目的のために、方法論を一連のブロックとして示して記述しているが、いくつかのブロックが、ここで描写および記述したブロックとは異なった順序で、および／または、他のブロックと実質的に同時に行われることがあるので、ブロックの数または順序によって、請求項に記載した主題事項が限定されないことを理解および正しく認識すべきである。さらに、ここで記述した手順を実現するために、すべての図示したブロックを必要とするわけではない。付加的に、ここで開示した方法論は、このような方法論のコンピュータへの移送および転送を促進するために製造業者の物上に記憶できることをさらに正しく認識すべきである。ここで用いる製造物という用語は、何らかのコンピュータ読み取り可能デバイス、キャリア、または媒体からアクセス可能なコンピュータプログラムを含むことを意図している。
【０１２３】
ここでの参照によって組み込まれると考えられている、何らかの特許、公開、または他の開示の素材は、組み込まれた素材が、本開示で述べた、既存の規定、主張、または他の開示の素材に衝突しない範囲で、全体的に、または、部分的に、ここで組み込まれることを正しく認識すべきである。したがって、必要な範囲で、明示的にここで述べたような開示は、参照によってここで組み込まれる何らかの矛盾する素材に取って代わる。ここでの参照によって組み込まれると考えられるが、既存の規定、主張、またはここで述べた他の開示の素材と矛盾する、何らかの素材、または、その一部は、ここで述べた、既存の定義、明細書、または他の開示素材と矛盾する、組み込まれている素材と、既存の開示の素材との間で衝突が生じない範囲でのみ組み込まれるだろう。
【図１】
2013537017.tif 000003
【図２】
2013537017.tif 000004
【図３】
2013537017.tif 000005
【図４】
2013537017.tif 000006
【図５】
2013537017.tif 000007
【図６】
2013537017.tif 000008
【図７】
2013537017.tif 000009
【図８】
2013537017.tif 000010
【図９】
2013537017.tif 000011
【図１０】
2013537017.tif 000012
【図１１】
2013537017.tif 000013
【図１２】
2013537017.tif 000014
【図１３】
2013537017.tif 000015
【図１４】
2013537017.tif 000016
【国際調査報告】
2013537017.tif 000017
2013537017.tif 000018
2013537017.tif 000019